(57)【要約】【課題】  色合いなどの誤差が問題となるような品質の落ちるＣＣＤや品質の落ちるアナログ回路を使用する場合には、色合いなどの誤差に対応できないことがある。【解決手段】  ＣＣＤの画素用出力値の補正を行う際に複数の補正近似直線群情報、または一組の補正近似直線群情報と複数の誤差補正近似直線群情報を作成しておき、これらの中から一番適したものをダイナミックに選択する。あるいは複数の候補の補正近似直線群情報（誤差補正近似直線群情報）から比率による補正処理によりゲインをダイナミックに決定する。また、この補正近似直線群情報（誤差補正近似直線群情報）の選択および補正処理の比率の決定には色成分（キャリア成分）の比を用いる。【選択図】  図１
2006173942.tif 000002
【特許請求の範囲】
【請求項１】
多分割読出ＣＣＤの分割読出ブロック間での出力差を補正するための補正近似直線群情報を複数保持する第一補正近似直線群情報保持部と、
多分割読出ＣＣＤの画素用出力値を取得する画素用出力値取得部と、
前記画素用出力値取得部で取得した画素用出力値に基づいて前記第一補正近似直線群情報保持部に保持されている複数の補正近似直線群情報から二組以上の補正近似直線群情報を選択する第一選択部と、
前記第一選択部にて選択された二組以上の補正近似直線群情報を利用して前記画素用出力値を補正する第一補正処理部と、
を有する多分割ＣＣＤ補正処理装置。
【請求項２】
多分割読出ＣＣＤの分割読出ブロック間での出力差を補正するための補正近似直線群情報を保持する第二補正近似直線群情報保持部と、
多分割読出ＣＣＤの分割読出ブロック間での出力差を補正するための誤差補正近似直線群情報を保持する誤差補正近似直線群情報保持部と、
多分割読出ＣＣＤの画素用出力値を取得する画素用出力値取得部と、
前記画素用出力値取得部で取得した画素用出力値に基づいて前記第二補正近似直線群情報保持部に保持されている補正近似直線群情報を選択し、さらに、前記画素用出力値取得部から取得した画素用出力値に基づいて前記誤差補正近似直線群情報保持部に保持されている誤差補正近似直線群情報を選択する第二選択部と、
前記第二選択部にて選択された補正近似直線群情報と、誤差補正近似直線群情報とを利用して前記画素用出力値を補正する第二補正処理部と、
を有する多分割ＣＣＤ補正処理装置。
【請求項３】
前記第一選択部は、出力を補正すべき画素と、その画素に近接している画素の画素用出力値の比に基づいて前記選択をする請求項１に記載の多分割ＣＣＤ補正処理装置。
【請求項４】
前記第二選択部は、出力を補正すべき画素と、その画素に近接している画素の画素用出力値の比に基づいて前記選択をする請求項２に記載の多分割ＣＣＤ補正処理装置。
【請求項５】
前記第一補正処理部は、出力を補正すべき画素と、その画素に近接している画素の画素用出力値の比を利用して前記補正をする第一出力比利用補正手段を有する請求項１に記載の多分割ＣＣＤ補正処理装置。
【請求項６】
前記第二補正処理部は、出力を補正すべき画素と、その画素に近接している画素の画素用出力値の比を利用して前記補正をする第二出力比利用補正手段を有する請求項２に記載の多分割ＣＣＤ補正処理装置。
【請求項７】
前記第一補正処理部は、出力を補正すべき画素と、その画素に近接している画素の画素用出力値の比を利用して前記補正をする第一出力比利用補正手段を有し、
前記画素用出力値取得部で取得した画素用出力値が所定の値以下である場合には、前記第一出力比利用補正手段を利用しないで前記補正をする部分迂回処理部を有する請求項１に記載の多分割ＣＣＤ補正処理装置。
【請求項８】
一の基準補正近似直線群情報を保持する基準補正近似直線群情報保持部を有し、
前記画素用出力値取得部で取得した画素用出力値が所定の値以下である場合には、前記第一選択部を利用しないで、前記基準補正近似直線群情報保持部に保持されている基準補正近似直線群情報を前記二組以上の補正近似直線群情報に代えて利用して前記補正を行う請求項１に記載の多分割ＣＣＤ補正処理装置。
【請求項９】
前記第二補正処理部は、出力を補正すべき画素と、その画素に近接している画素の画素用出力値の比を利用して前記補正をする第二出力比利用補正手段を有し、
前記画素用出力値取得部で取得した画素用出力値が所定の値以下である場合には、前記第二出力比利用補正手段を利用しないで前記補正をする部分迂回処理部を有する請求項２に記載の多分割ＣＣＤ補正処理装置。
【請求項１０】
前記第一補正処理部の後段に配置される第一ゲイン減衰部を有する請求項１、３、５、７、８のいずれか一に記載の多分割ＣＣＤ補正処理装置。
【請求項１１】
前記第二補正処理部の後段に配置される第二ゲイン減衰部を有する請求項２、４、６、９のいずれか一に記載の多分割ＣＣＤ補正処理装置。
【請求項１２】
前記第一補正処理部の前段に配置される画素用出力値取得部のさらに前段に配置される第一ゲイン増幅部と、
前記第一補正処理部の後段に配置される第一ゲイン減衰部と、
を有する請求項１、３、５、７、８のいずれか一に記載の多分割ＣＣＤ補正処理装置。
【請求項１３】
前記第二補正処理部の前段に配置される画素用出力値取得部のさらに前段に配置される第二ゲイン増幅部と、
前記第二補正処理部の後段に配置される第二ゲイン減衰部と、
を有する請求項２、４、６、９のいずれか一に記載の多分割ＣＣＤ補正処理装置。
【請求項１４】
多分割読出ＣＣＤを使用したカメラにおいて多分割読出ＣＣＤの分割読出ブロック間での出力差の補正を行う際に前記多分割読出ＣＣＤの一種類の画素に対し二組以上の補正近似直線群情報を用いることを特徴とする補正処理方法。
【請求項１５】
多分割読出ＣＣＤを使用したカメラにおいて多分割読出ＣＣＤの分割読出ブロック間での出力差の補正を行う際に前記多分割読出ＣＣＤの一種類の画素に対し一組以上の補正近似直線群情報と、一組以上の誤差補正近似直線群情報と、を用いることを特徴とする補正処理方法。
【請求項１６】
請求項１４に記載の補正処理方法において二組以上の補正近似直線群情報のうちどの補正近似直線群情報を用いるかを決定するのに前記補正近似直線群情報を利用すべき画素の画素用出力値と、前記画素に近接している画素である近接画素の画素用出力値と、の出力値の比である出力比を用いることを特徴とする補正処理方法。
【請求項１７】
請求項１５に記載の補正処理方法において補正近似直線群情報により第一の補正を行った後、一組以上の誤差補正近似直線群情報のうち、どの誤差補正近似直線群情報を用いるかを決定するのに前記出力比を用いることを特徴とする補正処理方法。
【請求項１８】
請求項１４に記載の補正処理方法において二組以上の補正近似直線群情報から前記出力比を用いて補正をすることを特徴とする補正処理方法。
【請求項１９】
請求項１５に記載の補正処理方法において補正近似直線群情報により第一の補正を行った後、一組以上の誤差補正近似直線群情報から前記出力比を用いて補正をすることを特徴とする補正処理方法。
【請求項２０】
請求項１８に記載の補正処理方法において補正すべき画素の出力値が所定の値よりも小さいときに、前記出力比を算出するための計算を止め、ある特定の補正近似直線群情報の補正値を有効とすることを特徴とする補正処理方法。
【請求項２１】
請求項１９に記載の補正処理方法において補正すべき画素の出力値が所定の値よりも小さいときに、前記出力比を算出するための計算を止め、ある特定の誤差補正近似直線群情報の補正値を有効とすることを特徴とする補正処理方法。
【請求項２２】
請求項１又は２に記載の多分割ＣＣＤ補正処理装置を有するデジタル映像記録装置。
【発明の詳細な説明】
【技術分野】
【０００１】
本発明は、多分割読み出しのＣＣＤを使用したカメラにおける、出力ラインのゲインの多分割読出ＣＣＤ補正処理装置および方法に関する。
【背景技術】
【０００２】
近年、ビデオやカメラなどに使用するＣＣＤの多画素化に伴い、これら多数の画素を所定時間内に読み出す必要が生じてきた。そしてＣＣＤの多画素化に対応した高速読み出し方式の一つとして、ＣＣＤの全画素を複数の領域に分割し、分割した領域の画素を並列に読み出す多分割読み出し方式が提案されている。この方法は、ＣＣＤの受光部を複数のブロックに分割し、これに応じて水平方向の水平転送部も複数に分割して各画素に対応した電荷を転送するものである。しかしこの複数ブロックに分割して電荷を出力するＣＣＤにおいて、それぞれのブロック間の信号経路が異なることにより、分割されたブロックを一つの画面に再構成する際に、ブロック間に画素用出力値のレベル差が生じてしまう。このレベル差は、主に、回路の物理的性質による差によって生じる。その差は、それぞれのＣＣＤ固有の値をとる。かつ、その分割ブロック間のレベル差は、受光部の受光量に比例することが知られている。そこで特許文献１に開示されているように、それぞれのブロックの画素用出力値を増幅する増幅部のゲインを補正することによってそれぞれのブロック間に生じる画素用出力値のレベル差を補償する方法が提案されている。
【特許文献１】特開２００２−３２０１４２
【発明の開示】
【発明が解決しようとする課題】
【０００３】
しかし、特許文献１に開示されている方法は、全画素に共通の単一の補正近似直線群情報を利用して、各画素の受光量により、ブロック間に生じる画素用出力値のレベル差を補正するものである。したがって、色合いなどの誤差がほとんど生じないような品質のよいＣＣＤや品質のよいアナログ回路を用いた場合には有効であるが、色合いなどの誤差が問題となるような品質の落ちるＣＣＤや品質の落ちるアナログ回路を使用する場合には、色合いなどの誤差に対応できないことがある。なぜならば、ＣＣＤの各画素はユニークな補正特性を持っているからである。
【課題を解決するための手段】
【０００４】
本件発明は、上記課題に鑑みなされたものであり、ＣＣＤの画素用出力値の補正を行う際に複数の補正近似直線群情報、または一組の補正近似直線群情報と複数の誤差補正近似直線群情報を作成しておき、これらの中から一番適したものをダイナミックに選択する。あるいは複数の候補の補正近似直線群情報（誤差補正近似直線群情報）から比率による補正処理によりゲインをダイナミックに決定する。また、この補正近似直線群情報（誤差補正近似直線群情報）の選択および補正処理の比率の決定には色成分（キャリア成分）の比を用いる。これはＣＣＤの特性および、アナログ回路のばらつきによる左右の差がキャリア成分の比に近似的に比例しているという実験結果から決定されたものである。
【０００５】
第一の発明は、多分割読出ＣＣＤの分割読出ブロック間での出力差を補正するための補正近似直線群情報を複数保持する第一補正近似直線群情報保持部と、多分割読出ＣＣＤの画素用出力値を取得する画素用出力値取得部と、前記画素用出力値取得部で取得した画素用出力値に基づいて前記第一補正近似直線群情報保持部に保持されている複数の補正近似直線群情報から二組以上の補正近似直線群情報を選択する第一選択部と、前記第一選択部にて選択された二組以上の補正近似直線群情報を利用して前記画素用出力値を補正する第一補正処理部と、を有する多分割ＣＣＤ補正処理装置に関する。
第二の発明は、多分割読出ＣＣＤの分割読出ブロック間での出力差を補正するための補正近似直線群情報を保持する第二補正近似直線群情報保持部と、多分割読出ＣＣＤの分割読出ブロック間での出力差を補正するための誤差補正近似直線群情報を保持する誤差補正近似直線群情報保持部と、多分割読出ＣＣＤの画素用出力値を取得する画素用出力値取得部と、前記画素用出力値取得部で取得した画素用出力値に基づいて前記第二補正近似直線群情報保持部に保持されている補正近似直線群情報を選択し、さらに、前記画素用出力値取得部から取得した画素用出力値に基づいて前記誤差補正近似直線群情報保持部に保持されている誤差補正近似直線群情報を選択する第二選択部と、前記第二選択部にて選択された補正近似直線群情報と、誤差補正近似直線群情報とを利用して前記画素用出力値を補正する第二補正処理部と、を有する多分割ＣＣＤ補正処理装置に関する。
第三の発明は、前記第一選択部が、出力を補正すべき画素と、その画素に近接している画素の画素用出力値の比に基づいて前記選択をする第一の発明に記載の多分割ＣＣＤ補正処理装置に関する。
第四の発明は、前記第二選択部が、出力を補正すべき画素と、その画素に近接している画素の画素用出力値の比に基づいて前記選択をする第二の発明に記載の多分割ＣＣＤ補正処理装置に関する。
第五の発明は、前記第一補正処理部は、出力を補正すべき画素と、その画素に近接している画素の画素用出力値の比を利用して前記補正をする第一出力比利用補正手段を有する第一の発明に記載の多分割ＣＣＤ補正処理装置に関する。
第六の発明は、前記第二補正処理部は、出力を補正すべき画素と、その画素に近接している画素の画素用出力値の比を利用して前記補正をする第二出力比利用補正手段を有する第二の発明に記載の多分割ＣＣＤ補正処理装置に関する。
第七の発明は、前記第一補正処理部は、出力を補正すべき画素と、その画素に近接している画素の画素用出力値の比を利用して前記補正をする第一出力比利用補正手段を有し、前記画素用出力値取得部で取得した画素用出力値が所定の値以下である場合には、前記第一出力比利用補正手段を利用しないで前記補正をする部分迂回処理部を有する第一の発明に記載の多分割ＣＣＤ補正処理装置に関する。
第八の発明は、一の基準補正近似直線群情報を保持する基準補正近似直線群情報保持部を有し、前記画素用出力値取得部で取得した画素用出力値が所定の値以下である場合には、前記第一選択部を利用しないで、前記基準補正近似直線群情報保持部に保持されている基準補正近似直線群情報を前記二組以上の補正近似直線群情報に代えて利用して前記補正を行う第一の発明に記載の多分割ＣＣＤ補正処理装置に関する。
第九の発明は、前記第二補正処理部は、出力を補正すべき画素と、その画素に近接している画素の画素用出力値の比を利用して前記補正をする第二出力比利用補正手段を有し、前記画素用出力値取得部で取得した画素用出力値が所定の値以下である場合には、前記第二出力比利用補正手段を利用しないで前記補正をする部分迂回処理部を有する第二の発明に記載の多分割ＣＣＤ補正処理装置に関する。
第十の発明は、前記第一補正処理部の後段に配置される第一ゲイン減衰部を有する第一の発明、第三の発明、第五の発明、第七の発明、第八の発明のいずれか一に記載の多分割ＣＣＤ補正処理装置に関する。
第十一の発明は、前記第二補正処理部の後段に配置される第二ゲイン減衰部を有する第二の発明、第四の発明、第六の発明、第九の発明のいずれか一に記載の多分割ＣＣＤ補正処理装置に関する。
第十二の発明は、前記第一補正処理部の前段に配置される画素用出力値取得部のさらに前段に配置される第一ゲイン増幅部と、前記第一補正処理部の後段に配置される第一ゲイン減衰部と、を有する第一の発明、第三の発明、第五の発明、第七の発明、第八の発明のいずれか一に記載の多分割ＣＣＤ補正処理装置に関する。
第十三の発明は、前記第二補正処理部の前段に配置される画素用出力値取得部のさらに前段に配置される第二ゲイン増幅部と、前記第二補正処理部の後段に配置される第二ゲイン減衰部と、を有する第二の発明、第四の発明、第六の発明、第九の発明のいずれか一に記載の多分割ＣＣＤ補正処理装置に関する。
【発明の効果】
【０００６】
本件発明の多分割ＣＣＤ補正処理装置によれば、あらかじめ補正近似直線群情報を複数作成してメモリに保存しておき、撮影時に、そこから補正値を決定することができるので、分割した画素用出力値のレベルの差を精度よく補正することが可能となる。また、補正近似直線群情報と誤差補正近似直線群情報を作成してメモリに保存しておき、一旦補正近似直線群情報で補正を行った後、誤差分を誤差補正近似直線群情報で補正し加減算することができるので、メモリ量等を削減できる。
【発明を実施するための最良の形態】
【０００７】
以下に本件発明の実施形態を説明する。実施形態と、請求項との関係はおおむね次のようなものである。
実施形態１は、主に、請求項１、請求項１４、請求項２２などについて説明している。
実施形態２は、主に、請求項２、請求項１５、請求項２２などについて説明している。
実施形態３は、主に、請求項３、請求項１６などについて説明している。
実施形態４は、主に、請求項４、請求項１７などについて説明している。
実施形態５は、主に、請求項５、請求項１８などについて説明している。
実施形態６は、主に、請求項６、請求項１９などについて説明している。
実施形態７は、主に、請求項７、請求項２０などについて説明している。
実施形態８は、主に、請求項８について説明している。
実施形態９は、主に、請求項９、請求項２１などについて説明している。
実施形態１０は、主に、請求項１０、請求項１２などについて説明している。
実施形態１１は、主に、請求項１１、請求項１３などについて説明している。
以下に、図を用いて本発明の実施の形態を説明する。なお、本発明はこれら実施の形態に何ら限定されるものではなく、その要旨を逸脱しない範囲において、種々なる態様で実施しうる。
【０００８】
<<実施形態１>>
以下に、実施形態１について説明する。
<実施形態１の概念>
以下に本実施形態の概念について説明する。本実施形態の多分割ＣＣＤ補正処理装置は、例えば、色ごとに補正ルールを設けるなど、画素特有の補正をすることを特徴としている。さらに詳細に、本実施形態の概念について説明する。
（多分割ＣＣＤ補正処理装置の詳細な概念）
図１は、本実施形態の概念の一例を示すための図である。なお、図１においては、一例として、補色フィルタを用いたＣＣＤ（詳細については後述）について説明している。補色フィルタは、動画撮影時には、あるラインについてはＣ１：Ｍｇ＋Ｙｅの画素用出力値とＣ２：Ｇ＋Ｃｙの画素用出力値が交互に出力され、次のラインではＣ４：Ｇ＋Ｙｅの画素用出力値、Ｃ３：Ｍｇ＋Ｃｙの画素用出力値が交互に出力される。
本実施形態の多分割ＣＣＤ補正処理装置０１００は、あらかじめ第一補正近似直線群情報保持部０１０１が、自身のメモリに複数の補正近似直線群情報（図１においては四組、例えば、白、赤、緑、青色の被写体を撮影して作成したものなど）を保持している。ここで、多分割ＣＣＤ補正処理装置の利用者が動画を撮影すると、画素用出力値取得部０１０２は、全画素の画素用出力値を取得する。ここで、その中の特定画素の画素用出力値ａ（図１においては、左隅の画素（Ｃ１）の出力値）について考えてみる。第一選択部０１０３は、第一補正近似直線群情報保持部に保持されている複数の補正近似直線群情報から二組以上の補正近似直線群情報、例えば、画素Ｃ１用の二組の補正近似直線群情報（例えば、白と赤、または白と緑）を選択する。次に、第一補正処理部０１０４は、第一選択部にて選択された二組の補正近似直線群情報（例えば、白と赤、または白と緑）を利用して、画素用出力値ａから補正値Ｂを算出し補正する。なお、補色フィルタの場合には、Ｃ１と同様に、Ｃ２、Ｃ３、Ｃ４用の補正近似直線群情報が作成される（図１には、画素Ｃ１用の二組の補正近似直線群情報が示されている）。
【０００９】
（補正近似直線群情報の概念）
以下に、補正近似直線群情報の概念の一例について説明する。
図４３、図４４、図４５、図４６は、補正近似直線群情報の概念の一例を説明するための図であり、左右にＣＣＤを２分割する場合について説明している。
図４３は、補正近似直線群情報を利用すべき画素であり、かつ補正近似直線群情報の生成に利用する画素について説明するための一例を示す図である。２分割ＣＣＤ４３００は、左ブロックのＬ−ＣＣＤ４３０１と、右ブロックのＲ−ＣＣＤ４３０２と、からなる。Ｌ−ＣＣＤは画素Ａ（４３０３）を有し、Ｒ−ＣＣＤは画素Ｂ（４３０４）を有している。ここで画素Ａ（４３０３）と画素Ｂ（４３０４）が同じ種類の画素（例えば、補色フィルタのＣ１：Ｍｇ＋Ｙｅ）とする。また画素Ａの画素用出力値をａ、画素Ｂの画素用出力値をｂとする。さらに画素Ａと画素Ｂは、色が一様な同じ画像の画素であるものとする。このＣＣＤの特性上、一般的に、画素用出力値ａとｂには、ゲイン差がある。そして、このゲイン差はＣＣＤごとにユニークである。このゲイン差を解消するために、ａにｂとの差分の値Ｋを加えてやれば、左右のゲイン差は同等になる。つまり、補正後の画素Ａの画素用出力値ｄ＝ａ＋Ｋと表され、このＫを画素Ａの受光量に応じてプロットしたものが補正近似直線群情報である。
図４４は、上記作成された補正近似直線群情報の概念の一例を示すための図である。入力値に基づいて左ブロックの画素Ａの画素用出力値ａ１を補正する場合には、図４４より、ＫはＫ１となるので、画素用出力値ａ１にＫ１を加算すれば（補正後の画素Ａの画素用出力値ｄ１＝ａ１＋Ｋ１）、右ブロックの画素Ｂの画素用出力値ｂ１と同等のディスプレイからの出力となる。
図４５は、複数の補正近似直線群情報を説明するための図である。図４５においては、３組の補正近似直線群情報（ｆ１、ｆ２、ｆ３）が示されている。３組の補正近似直線群情報を利用することにより、それぞれの画素の画素用出力値に応じた精密な補正を行うことができる。
図４６は、補正近似直線群情報を用いて補正を行う場合のＣＣＤ画素と補正後の値との対応関係の一例を示す図である。ＣＣＤ画素番号、画素の種類、画素用出力値、利用する補正近似直線群情報、補正用の値、補正後の値で一組になっている。例えば、ＣＣＤ画素番号１００００の画素は、画素の種類がＣ１であり、画素用出力値がａ１のときに所定の条件に基づいて選択される補正近似直線群情報がｆ１であり、補正近似直線群情報を利用して求められた補正用の値が＋Ｋ１、画素用出力値の補正後の値がａ１＋Ｋ１であることを示している。
【００１０】
<構成要件の明示>
以下に、本実施形態の構成要件について説明をする。
図２は、本実施形態の機能ブロック図の一例である。本実施形態の多分割ＣＣＤ補正処理装置０２００は、第一補正近似直線群情報保持部０２０１と、画素用出力値取得部０２０２と、第一選択部０２０３と、第一補正処理部０２０４と、からなる。
【００１１】
<構成要件の説明>
構成要件の説明に入る前に、ＣＣＤ（Ｃｈａｒｇｅ  Ｃｏｕｐｌｅｄ  Ｄｅｖｉｃｅｓ）の概略について説明する。
（ＣＣＤ）
「ＣＣＤ」とは、光を光電効果によって電荷に変換する撮像素子のことをいう。
図５０は、一般的なＣＣＤの概念を示すための図である。ＣＣＤ５０００は、一般的に、受光部５００１と、垂直転送部５００２と、水平転送部５００３と、を有している。ＣＣＤの構造は、輝度（光の信号強度）を認識するフォトダイオード（受光素子）が縦横に規則的に配列されており、電荷方式および転送方式の違いにより、フレームトランスファ型やインターライントランスファ型、フルフレームトランスファ型、フレームインターライントランスファ型などに分類される。複数の受光素子からなる受光部は、被写体からの光を受光し、受光した光を光電効果によって電荷に変換する。変換された電荷は、垂直転送部に転送される。垂直転送部に転送された電荷は、最初の１ライン５００４（図５０の点線で囲んだ部分で、行ともいう）分が水平転送部へ転送される。水平転送部は、転送された１ライン分の電荷を、一走査線に相当する電荷として、信号増幅回路などに出力する。水平転送部から信号増幅回路などに電荷が転送されると、次の１ライン分の電荷が垂直転送部から水平転送部に転送される。これらの動作が、垂直転送部の全ラインについて行われるまで順次繰り返される。このようにしてＣＣＤは、所定の時間内にすべての電荷の転送を終了し、１フレーム分（あるいは１フィールド分）の電荷を出力する。例えば、ＣＣＤがビデオカメラなど動画を記録する記録装置の撮像部分に使用される場合には、１フレーム分の電荷の転送は、１／３０秒以下の時間内に終了する。そしてＣＣＤから出力された電荷は、信号増幅回路にて所定の画素用出力値まで増幅され、必要な画像処理が諸回路にて行われる。
【００１２】
ここで受光素子は、光の強度情報しか有することができないので、色情報が得られない（つまり電荷の量（本明細書においては画素用出力値（後述する）ともいう）しか保存することができない）。そこでカラーを表現するためにＣＣＤは、原色フィルタや補色フィルタなどを使って光を色分解するが、一つの受光素子に対しては一つのカラーフィルタが対応している。そのためＣＣＤは、複数の画素の色情報を組み合わせることによって色情報を生成するように構成されている。ここで「原色フィルタ」とは、光の３原色であるＲ（Ｒｅｄ：赤）、Ｇ（Ｇｒｅｅｎ：緑）、Ｂ（Ｂｌｕｅ：青）のフィルタのことをいう。例えば、ＣＣＤの受光素子は、前述のように色を識別することができない。そのため、デジタルカメラで使用されるＣＣＤの受光素子には、色情報を得るために光の３原色であるＲＧＢのフィルタが装着されている。さらにＣＣＤ上の画素毎につけられている色フィルタの配列パターンは、通常、ＲＧＢの原色フィルタであっても、ＲＧＢの順番に綺麗に並んでいるわけではなく、人間の目に最も反応しやすいＧｒｅｅｎを他の２色の２倍取っている場合が多い。原色フィルタは色が鮮やかに出るのが特徴である。しかしながら低解像度のＣＣＤの場合、撮影した画像を拡大すると、この配列パターンがノイズとなって顕在化するケースもある。また原色フィルタは光の透過率が悪く、一般に低感度となる傾向がある。次に「補色フィルタ」とは、光の３原色の補色であるＣｙ（Ｃｙａｎ：シアン、Ｇｒｅｅｎ＋Ｂｌｕｅ）、Ｍｇ（Ｍａｇｅｎｔａ：マゼンタ、Ｂｌｕｅ＋Ｒｅｄ）、Ｙｅ（Ｙｅｌｌｏｗ：黄、Ｇｒｅｅｎ＋Ｒｅｄ）に、Ｇ（Ｇｒｅｅｎ：）を加えたフィルタのことをいう（図５０の点線で囲んだ部分５００５を参照）。補色フィルタを使用する場合には、Ｃｙａｎ、Ｍａｇｅｎｔａ、Ｙｅｌｌｏｗの画素用出力値から演算を行って、Ｒｅｄ、Ｇｒｅｅｎ、Ｂｌｕｅの画素用出力値を生成する。補色フィルタでは、いったん演算を行ってからＲＧＢを再現するため、色再現にロスが発生し、原色フィルタのような鮮やかなトーンにはならず、色乗りが悪いトーンとなる特徴を有する。また、演算の過程で階調が狭くなり、硬いトーンになる。しかし補色フィルタは光の透過率が高い上、人間の目にとって最も多く輝度情報が含まれる緑を加えて演算するため、一般に高感度となる。また、補色フィルタは画像生成の段階でシャープネスを算出しやすい特性を有するため、一般に解像度が高くなる。例えば、補色フィルタＣＣＤを搭載したデジタルカメラの画像は、一般的な傾向として、シャープネスが高く、落ち着いた色合いになりやすい。
【００１３】
以下に、本実施形態の構成要件について説明する。
【００１４】
（第一補正近似直線群情報保持部）
「第一補正近似直線群情報保持部」は、多分割読出ＣＣＤの分割読出ブロック間での出力差を補正するための補正近似直線群情報を複数保持するように構成されている。ここで「多分割読出」とは、受光部を複数のブロックに分割し、これに対応して垂直転送部、水平転送部も複数のブロックに分割して画素用出力値（後述する）を出力することをいう。なお縦方向のみの分割の場合には、垂直転送部は分割される必要はなく、また横方向のみの分割の場合には、水平転送部は分割される必要はない。多分割には、一例として、２分割、３分割、４分割、・・・などが挙げられる。ここで多分割にする目的の一つは、ＣＣＤの画素数が多い場合にも、１フレーム分（あるいは１フィールド分）の画素用出力値を所定の時間内に転送できるようにするためである。例えば２分割のＣＣＤの場合を考えてみる。受光部を左右の２ブロックに分割し、これに対応して水平転送部も左右の２ブロックに分割することによって、１ラインの画素用出力値を左ブロックの画素用出力値と右ブロックの画素用出力値とに分割して出力することができる。このため、この水平転送部が２ブロックのＣＣＤは、画素数が同数で水平転送部が１ブロックのＣＣＤ（受光部および水平転送部が２分割されていないＣＣＤ）に較べて、略半分の時間で転送を終了することができる。
【００１５】
また「分割読出ブロック間での出力差」とは、同じ強度の光が当たった場合に、複数ブロック間に生じる画素用出力値のレベル差のことをいう。これらのレベル差は、主に、複数のブロックに分割された各ブロックから出力される画素用出力値が、水平転送部の複数ブロックから出力されて次の処理回路、例えば、信号増幅回路に入力されるまでの信号経路が異なることによって生じる。このため、補正をしない場合には、同じ輝度で表示されるべき画素用出力値を再生・表示すると、１画像中の複数ブロック間において輝度が異なり、画質が劣化してしまう。そこで、本件発明では、複数ブロックの画素用出力値を補正することによって、複数ブロック信号間に生じる画素用出力値のレベル差を補償している。
【００１６】
次に、本件発明の特徴の一つである補正近似直線群情報について説明する。「補正近似直線群情報」とは、複数ブロック間の画素用出力値のレベル差を近似的に直線群で補正するために用いられるデータ化された情報のことをいう。補正近似直線群情報は、一例として、横軸に各画素の画素用出力値を、縦軸に基準となるブロックとその他ブロック間の画素用出力値のゲイン差をとって、補正近似直線群情報を描くことによりグラフ表示される。なお、縦軸にはゲイン差に限定されず、基準となるブロックとその他ブロック間の画素用出力値の比率や掛け算の値などであってもよい。
【００１７】
（補正近似直線群情報の生成方法）
以下に、補正近似直線群情報を生成する方法について説明する。例えば、白の補正近似直線群情報は、画素用出力値を変化させながら、あらかじめ補正に使用する白の被写体を撮影して、基準となるブロックとその他ブロック間の画素用出力値のゲイン差を算出することにより生成しておく。この操作を複数の色（例えば、赤、緑、青など）について行うことにより、複数の色の補正近似直線群情報が生成される。生成された補正近似直線群情報は第一補正近似直線群情報保持部のメモリに保持される。ここで補正近似直線群情報は、基本となる画素の種類ごとに複数生成される。例えば、原色フィルタを使用する場合には、全画素はＲ（Ｒｅｄ：赤）、Ｇ（Ｇｒｅｅｎ：緑）、Ｂ（Ｂｌｕｅ：青）の３種類の繰り返しで構成されているので、ＲＧＢの３種類あるいはＲＧＢの組み合わせについて複数の補正近似直線群情報が生成される。また、補色フィルタを使用する場合には、全画素はＣｙ（Ｃｙａｎ：シアン、Ｇｒｅｅｎ＋Ｂｌｕｅ）、Ｍｇ（Ｍａｇｅｎｔａ：マゼンタ、Ｂｌｕｅ＋Ｒｅｄ）、Ｙｅ（Ｙｅｌｌｏｗ：黄、Ｇｒｅｅｎ＋Ｒｅｄ）、Ｇ（Ｇｒｅｅｎ：）の４種類の繰り返しで構成されているので、ＣｙＭｇＹｅＧの４種類あるいはＣｙＭｇＹｅＧの組み合わせについて複数の補正近似直線群情報が生成される。なお、補正近似直線群情報は、多分割ＣＣＤ補正処理装置を有するデジタル映像記録装置（例えば、デジタルカメラ、ムービーなど）ごとに生成するようにしてもよいし、すべての多分割ＣＣＤ補正処理装置を有するデジタル映像記録装置に共通の補正近似直線群情報を生成してもよい。しかし、通常は、多分割ＣＣＤ補正処理装置を有するデジタル映像記録装置ごとに特性に個体差が生じるので、多分割ＣＣＤ補正処理装置を有するデジタル映像記録装置ごとに補正近似直線群情報を生成するほうが好ましい。また、補正近似直線群情報は工場出荷前に製造業者が作成するのがよいが、工場出荷後にユーザが自分で調整できるようにしてもよい。
【００１８】
以下簡単のために、多分割ＣＣＤ補正処理装置のＣＣＤの全画素を左右に２分割する場合の補正近似直線群情報について説明する。なお、本明細書においては、特に断らない限り、特定の画素を表現する場合には大文字の英数字を、その画素に対応する画素用出力値を表現する場合には、その画素に対応する小文字の英数字を用いるものとする。また本明細書においては、画素の種類は、カッコで括って表記するものとする。例えば、画素Ａなどの表記は、画素配列を特定するための画素がＡであることを示し、ａなどの表記は、画素Ａの画素用出力値あるいは画素の種類がＡの画素用出力値がａであることを示している。また、画素（Ａ１）などの表記は、画素の種類がＡ１であることを示しているものとする。さらに画素Ａ（Ａ１）など表記は、画素Ａの種類がＡ１であることを示しているものとする。
図３は、２分割ＣＣＤの概念の一例を説明するための図である。２分割ＣＣＤ（０３００）は、左のＬ−ＣＣＤ（０３０１）と右のＲ−ＣＣＤ（０３０２）とに左右２分割されている。また２分割ＣＣＤの全画素は、一例として、（Ａ１）、（Ａ２）、（Ａ３）、（Ａ４）の４種類の画素の繰返し配置によって構成されているものとする。つまり４種類の画素（Ａ１）、（Ａ２）、（Ａ３）、（Ａ４）で一つの色を表現するものとする。ここで２分割ＣＣＤの中央部分の画素領域は、左中央画素領域０３０３と右中央画素領域０３０４に分割される。左中央画素領域と右中央画素領域は、それぞれ４種類の画素（Ａ１）、（Ａ２）、（Ａ３）、（Ａ４）を有している。補正近似直線群情報の生成にあたっては、まず左中央画素領域と右中央画素領域の画素用出力値を画素の種別ごとに測定する。例えば、左中央画素領域と右中央画素領域の画素（Ａ１）の画素用出力値の平均値を計算し、それぞれの領域の画素（Ａ１）の画素用出力値の平均値のゲイン差を算出する。そして画素（Ａ１）の画素用出力値の平均値を変化させながら、左右中央画素領域の画素用出力値の平均値のゲイン差をプロットしていくことにより、画素（Ａ１）の補正近似直線群情報が生成される。一つの画素の画素出力値が複数の補正近似直線群情報によって補正される場合には、上記の動作が、複数の色の被写体分繰り返されることにより、画素（Ａ１）の複数の補正近似直線群情報が生成される。さらに以上の動作を他の種類の画素（Ａ２）、（Ａ３）、（Ａ４）ごとに行うことにより、４種類の画素（Ａ１）、（Ａ２）、（Ａ３）、（Ａ４）についての複数の補正近似直線群情報が生成される。なお、補正近似直線群情報は画素ごとに持ってもよい。また、補正近似直線群情報の補正値を画素ごとに持ってもよい。
図４は、補正近似直線群情報の生成方法の一例を説明するための図である（２分割ＣＣＤの場合）。横軸を画素用出力値、縦軸を左右画素間の画素用出力値のゲイン差としている。まず補正に使用する特定色の被写体からの画素用出力値をＬ１からはじめてＬ２、Ｌ３、Ｌ４と大きくしていく。画素用出力値を変化させていくにつれて左右ゲイン差がＧ１、Ｇ２、Ｇ３、Ｇ４と変化していく。そしてＬ１とＧ１が交わる点をＰ１とする（Ｐ２、Ｐ３、Ｐ４についても同様）。点Ｐ１、Ｐ２、Ｐ３、Ｐ４を直線で結べば補正近似直線群情報が生成される。補正近似直線群情報はメモリに格納される。その他の補正に使用する色についても同様に補正近似直線群情報が生成される。
図５は、例えば、画素（Ａ１）についての補正近似直線群情報の一例を示している。画素（Ａ１）の画素用出力値は、複数の色（白、赤、緑、青）の補正近似直線群情報を利用して補正される。他の種類の画素（Ａ２）、（Ａ３）、（Ａ４）についても同様に複数の補正近似直線群情報を利用して補正される。
なお、本件発明においては、左中央画素領域と右中央画素領域の大きさは自由に設定することができる。また、本件発明においては、補正近似直線群情報の生成に利用される画素の領域は、中央部分に限定されるものではない。つまり、左右で分離された配置であってもよい。また、補正近似直線群情報の生成に利用される画素の領域は、補正近似直線群情報を生成するのに最低限の画素の領域（例えば、４種類の画素（Ａ１）、（Ａ２）、（Ａ３）、（Ａ４）を使用する場合には、左右４画素ずつ）であってもよいが、一種類の画素に対して複数の画素領域であるほうが好ましい。
第一補正近似直線群情報保持部に保持されている複数の補正近似直線群情報は、第一選択部に出力されるなどして利用される。
【００１９】
（画素用出力値取得部）
「画素用出力値取得部」は、多分割読出ＣＣＤの画素用出力値を取得するように構成されている。ここで「画素用出力値」とは、画像を表示する表示装置を構成する画素に出力される信号の値のことをいう。画素用出力値は、多分割読出ＣＣＤを構成する画素（受光素子）単位の値であってもよいし、複数の画素（受光素子）の画素用出力値に演算（例えば足し算、引き算など）を施して得た値であってもよい。例えば、補色フィルタで使用した４種類の画素Ｃｙ、Ｍｇ、Ｙｅ、Ｇの画素用出力値を、Ｃ１：Ｍｇ＋Ｙｅ、Ｃ２：Ｇ＋Ｃｙ、Ｃ３：Ｍｇ＋Ｃｙ、Ｃ４：Ｇ＋Ｙｅの画素用出力値に変換してから補正処理を行ってもよいし、補色フィルタで使用した４種類の画素Ｃｙ、Ｍｇ、Ｙｅ、Ｇの画素用出力値を、原色の３種類の画素Ｒ、Ｇ、Ｂの画素用出力値に変換してから補正処理を行ってもよい。画素用出力値は、第一選択部と、第一補正処理部に出力されるなどして利用される。
【００２０】
（第一選択部）
「第一選択部」は、画素用出力値取得部で取得した画素用出力値に基づいて第一補正近似直線群情報保持部に保持されている複数の補正近似直線群情報から二組以上の補正近似直線群情報を選択するように構成されている。ここで「画素用出力値に基づいて」とは、自身（着目する画素のことをいう）の画素のみに限定されず、自身と自身に近接する近接画素の画素用出力値に所定の演算処理を行った結果の値を含んでもよいという趣旨である。また、ある画素Ａに着目した場合の「近接画素」とは、Ａの隣接または、数画素左右、数画素上下、数画素斜め方向に離れた画素のことをいう。そして「所定の演算処理」には、自身と近接画素の画素用出力値の比、自身と近接画素の画素用出力値の和・差の比などが挙げられる。例えば、自身の画素をＡ（画素用出力値をａ）とし、その近接画素をＢ（画素用出力値をｂ）とすると、所定の演算処理には、一例として、ａ／ｂ、ｂ／ａ、（ａ＋ｂ）／（ａ−ｂ）、（ａ−ｂ）／（ａ＋ｂ）などが挙げられる。
図６は、近接画素の概念の一例を説明するための図である。ＣＣＤ（０６００）の画素は、４種類の画素（Ａ１）、（Ａ２）、（Ａ３）、（Ａ４）で構成されているものとする。４種類の画素（Ａ１）、（Ａ２）、（Ａ３）、（Ａ４）が色表現の単位０６０１になっており、この４種類の画素が繰り返し配列されて全画素を構成している。今、所定の演算処理として画素用出力値ａ１とａ２の比ａ１／ａ２を使用するものとする。着目する画素を着目画素０６０２（Ａ１）とすると、近接画素は、一例として、図６の丸で囲んだ画素（Ａ２）となる。近接画素０６０３（Ａ２）は、着目画素０６０２（Ａ１）に隣接する画素である。それ以外の近接画素、例えば、近接画素０６０４（Ａ２）などは、着目画素０６０２（Ａ１）に隣接しない画素である。所定の演算処理として画素用出力値ａ３とａ４の比ａ３／ａ４を使用する場合にも、近接画素の考え方は同様である。
【００２１】
なお、所定の演算処理には、１画素の画素用出力値のみの処理ではなく、数画素の画素用出力値からの処理も含まれる。以下、図に基づいて説明する。
図７は、所定の演算処理に、数画素からの画素用出力値にフィルタを掛けたものを用いる場合の概念の一例を説明するための図である。ＣＣＤ（０７００）の画素は、４種類の画素（Ａ１）、（Ａ２）、（Ａ３）、（Ａ４）で構成されているものとする。４種類の画素（Ａ１）、（Ａ２）、（Ａ３）、（Ａ４）が色表現の単位０７０１になっており、この４種類の画素が繰り返し配列されて全画素を構成している。今、所定の演算処理として画素用出力値ａ１とａ２の比ａ１／ａ２を使用するものとする。図７に示すように、２つの着目画素０７０２（Ａ１）と、２つの近接画素０７０３（Ａ２）がそれぞれ（Ａ１）用フィルタリング（０７０４）、（Ａ２）用フィルタリング（０７０５）処理され、フィルタリング処理の結果により、比率計算ａ１／ａ２される。
次に、画素用出力値に基づいて複数の補正近似直線群情報から二組以上の補正近似直線群情報を選択する方法について述べる。上述のように、一例として、補正近似直線群情報の選択には色成分（キャリア成分）の比が用いられる。例えば４種類の画素（Ａ１）、（Ａ２）、（Ａ３）、（Ａ４）を使用する場合には、上述の比ａ１／ａ２、ａ３／ａ４が利用される。これは多分割ＣＣＤ補正処理装置のＣＣＤの特性および、アナログ回路のばらつきによるブロック間の差がキャリア成分の比に近似的に比例しているという実験結果から決定されたものである。そしてこの比ａ１／ａ２、ａ３／ａ４の大小により、複数の補正近似直線群情報の中から一番適したものをダイナミックに選択する。例えば、画素（Ａ１）について、複数の色（白、赤、緑、青）の補正近似直線群情報が作成されているものとする。このとき、比ａ１／ａ２が１以上であれば、赤の補正近似直線群情報を選択し、１より小さければ緑の補正近似直線群情報を選択する。ここで「二組以上の補正近似直線群情報を選択する」とは、複数の補正近似直線群情報の中から任意に二組以上の補正近似直線群情報を選択することに限定されず、あらかじめ一組は固定されており、他の一組以上を複数の補正近似直線群情報の中から任意に選択することも含まれる。例えば、一組の補正近似直線群情報（例えば、白）は固定されており、他の一組の補正近似直線群情報（例えば、赤）が選択されるように構成されていてもよい。また「選択」は、補正近似直線群情報を識別するための情報、例えば色情報などに従って行われる。なお、選択された二組以上の補正近似直線群情報は、第一補正処理部に出力されるなどして利用される。
【００２２】
（第一補正処理部）
「第一補正処理部」は、第一選択部にて選択された二組以上の補正近似直線群情報を利用して画素用出力値を補正するように構成されている。ここで「画素用出力値の補正」には、所定のルールに従って画素用出力値を利用して補正するもの、所定のルールに従って（画素用出力値）と（複数の画素用出力値の比）を利用して補正するものなどが挙げられる。「所定のルール」には、一例として、画素用出力値が所定の値以下（あるいは以上）の場合には、所定の補正近似直線群情報を選択するというルール、画素用出力値が所定の値の範囲内である場合には、複数の画素用出力値の比によって所定の補正近似直線群情報を選択するというルールなどが挙げられる。例えば、４種類の画素（Ａ１）、（Ａ２）、（Ａ３）、（Ａ４）を使用する場合を考える。画素（Ａ１）を補正する場合には、画素用出力値ａ１がある値以上の場合には、比ａ１／ａ２を計算して、比ａ１／ａ２が１以上であれば、赤の補正近似直線群情報を選択し、１より小さければ緑の補正近似直線群情報を選択して画素用出力値を補正することなどが挙げられる。なお「補正」には、１種類の画素に対して二組以上の補正近似直線群情報を利用するものと、１種類の画素に対しては一組の補正近似直線群情報しか利用しないが、全体として画素の種類の数に応じて二組以上の補正近似直線群情報を利用するものが考えられる。具体的な補正の考え方について、以下に説明する。
【００２３】
（１種類の画素に対して二組以上の補正近似直線群情報を利用する場合）
以下に、１種類の画素に対して二組以上の補正近似直線群情報を利用して補正をする場合について説明する。なお、以下の説明では、２分割のＣＣＤを使用し、ＣＣＤを構成する画素として、４種類の画素（Ａ１）、（Ａ２）、（Ａ３）、（Ａ４）を使用するものとする。
図４７は、補正に利用される補正近似直線群情報の概念の一例を示すための図である。図４７に基づいて、補正方法を説明する。
まず左ブロック中の特定画素Ａ（Ａ１）について画素用出力値がａであったとすると、所定のルールに従って白と赤の補正近似直線群情報を選択して、図４７より、白の補正近似直線群情報から右ブロックの画素用出力値とのゲイン差Ｇ１と、赤の補正近似直線群情報から右ブロックの画素用出力値とのゲイン差Ｇ２を得る。次に、ゲイン差Ｇ１とゲイン差Ｇ２とから白と赤のゲイン差Ｋ１＝Ｇ１−Ｇ２を得る。この例では、右ブロックを基準として、左ブロックの画素の画素用出力値を補正する場合を示しているので、このゲイン差を自身の画素用出力値に加えた補正値、具体的にはゲイン差Ｋ１を自身の画素用出力値ａに加えたａ＋Ｋ１を補正値とする。さらに他のＡ１と同種の画素（Ａ１）についても同様に補正を行う。また同様の考え方で、画素（Ａ２）、（Ａ３）、（Ａ４）を補正する場合には、それぞれ画素（Ａ２）、（Ａ３）、（Ａ４）用の複数の補正近似直線群情報を用いて、画素用出力値ａ２、ａ３、ａ４などを利用することにより、補正する。以上の動作により、全画素を構成する４種類の画素（Ａ１）、（Ａ２）、（Ａ３）、（Ａ４）について補正をすることができる。
【００２４】
（１種類の画素に対しては一組の補正近似直線群情報しか利用しないが、全体として画素の種類の数に応じて二組以上の補正近似直線群情報を利用する場合）
以下に、１種類の画素に対しては一組の補正近似直線群情報しか利用しないが、全体として画素の種類の数に応じて二組以上の補正近似直線群情報を利用して補正をする場合について説明する。なお、以下の説明では、２分割のＣＣＤを使用し、ＣＣＤを構成する画素として、４種類の画素（Ａ１）、（Ａ２）、（Ａ３）、（Ａ４）を使用するものとする。
まず、説明に先立って、上述の「所定のルール」について説明する。
（所定のルール）
（ルール１）画素用出力値がＬａ以下である場合には、白の補正近似直線群情報を選択する。
（ルール２）画素用出力値がＬａとＬｂの間である場合には、特定画素の画素用出力値とその近接画素の画素用出力値との比を計算し、比が１以上である場合には、赤の補正近似直線群情報を選択し、比が１より小さい場合には、緑の補正近似直線群情報を選択する。
（ルール３）画素用出力値がＬｂ以上である場合には、青の補正近似直線群情報を選択する。
図８は、補正に利用される補正近似直線群情報の概念の一例を示すための図である。
図４９は、補正に利用される互いに異なる位置に配置されている特定画素Ａ（Ａ１）、Ｂ（Ａ１）、Ｃ（Ａ２）、Ｄ（Ａ１）、Ｅ（Ａ２）、Ｆ（Ａ１）の概念の一例を示す図である。図８、図４９に基づいて、補正方法を説明する。まず、左ブロック中の特定画素Ａ（Ａ１）について画素用出力値がａ（<Ｌａ）であったとすると、所定のルールに従って白の補正近似直線群情報を選択して（ルール１）、図８より、右ブロックの画素用出力値とのゲイン差Ｇ１を得る。この例では、右ブロックを基準として、左の画素の画素用出力値を補正する場合を示しているので、このゲイン差を自身の画素用出力値に加えた補正値、具体的にはゲイン差Ｇ１を自身の画素用出力値ａに加えたａ＋Ｇ１を補正値とする。この例では、補正近似直線群情報を選択するために画素用出力値の大きさを用いた。次に、特定画素Ｂの画素用出力値について補正を行う場合について考える。左ブロック中の特定画素Ｂ（Ａ１）について画素用出力値がｂ（ＬａとＬｂの間）である場合には、所定のルールに従って画素Ｂ（Ａ１）の画素用出力値ｂと近接画素Ｃ（Ａ２）の画素用出力値ｃとの比を計算し、比ｂ／ｃが１以上とすると、赤の補正近似直線群情報を選択して（ルール２）、図８より、右ブロックからのゲイン差Ｇ２を得る。画素Ｂ（Ａ１）は、ゲイン差Ｇ２を自身の画素用出力値ｂに加えることにより補正する。次に、左ブロック中の特定画素Ｄ（Ａ１）について画素用出力値がｄ（ＬａとＬｂの間）である場合には、所定のルールに従って画素Ｄ（Ａ１）の画素用出力値ｄと近接画素Ｅ（Ａ２）の画素用出力値ｅとの比を計算し、比ｄ／ｅが１より小であるとすると、緑の補正近似直線群情報を選択して（ルール３）、図８より、右ブロックからのゲイン差Ｇ３を得る。画素Ｄ（Ａ１）は、ゲイン差Ｇ３を自身の画素用出力値に加えることにより補正する。次に、左ブロック中の特定画素Ｆ（Ａ１）について画素用出力値がｆ（>＝Ｌｂ）である場合には、所定のルールに従って青の補正近似直線群情報を選択して（ルール４）、図８より、右ブロックからのゲイン差Ｇ４を得る。画素Ｆ（Ａ１）は、ゲイン差Ｇ４を自身の画素用出力値に加えることにより補正する。さらに他のＡ１と同種の画素（Ａ１）についても同様に補正を行う。また同様の考え方で、画素（Ａ２）、（Ａ３）、（Ａ４）を補正する場合には、それぞれ画素（Ａ２）、（Ａ３）、（Ａ４）用の補正近似直線群情報を用いて、画素用出力値ａ２、ａ３、ａ４やその比ａ１／ａ２、ａ３／ａ４などを利用することにより、補正する。以上の動作により、全画素を構成する４種類の画素（Ａ１）、（Ａ２）、（Ａ３）、（Ａ４）について補正をすることができる。
【００２５】
なお、以上の説明においては、基準となる分割ブロックの画素用出力値は補正しないものとしたが本件発明はそれに限定されるものではない。例えば、２分割ＣＣＤの場合に、左ブロックは画素用出力値にゲイン差から得られる補正値を加算し、右ブロックは画素用出力値にゲイン差から得られる補正値を減算するように構成することも可能である。
【００２６】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図９は、本実施形態の処理の流れの一例である。
まず、多分割ＣＣＤ補正処理装置において、画素用出力値取得ステップは、多分割読出ＣＣＤの画素用出力値を取得する（ステップＳ０９０１）。次に、多分割ＣＣＤ補正処理装置において、第一選択ステップは、画素用出力値取得ステップで取得した画素用出力値に基づいて複数の補正近似直線群情報から二組以上の補正近似直線群情報を選択する（ステップＳ０９０２）。次に、多分割ＣＣＤ補正処理装置において、第一補正処理ステップは、第一選択ステップにて選択された二組以上の補正近似直線群情報を利用して画素用出力値を補正する（ステップＳ０９０３）。
【００２７】
（デジタル映像記録装置）
本実施形態は、多分割ＣＣＤ補正処理装置を有するデジタル映像記録装置、例えば、デジタルカメラ、ムービー、ビデオカメラなどに適用可能である。
【００２８】
<実施形態１の効果の簡単な説明>
本実施形態の多分割ＣＣＤ補正処理装置によれば、品質の悪いＣＣＤの分割ブロック間の色合いを補正することができる。なぜならば、複数の補正近似直線群情報を利用して画素に応じた適切な補正を行うことができるからである。
【００２９】
<<実施形態２>>
以下に、実施形態２について説明する。
<実施形態２の概念>
以下に本実施形態の概念について説明する。本実施形態では、補正近似直線群情報の作成時において、最初にキャリア成分（本明細書においては画素用出力値ともいう）が０に近いもの（例えば白など）のデータを取得して補正近似直線群情報を作成する。その後キャリア成分が大きなもの（例えば赤、緑、青など）のデータを複数取得し、作成したキャリア成分が０に近いものの補正近似直線群情報と複数のキャリア成分が大きなものの補正近似直線群情報との差から複数の誤差補正近似直線群情報を作成する。通常撮影時においてはまずキャリア成分が０に近いものの補正近似直線群情報を用いて補正を行う。これと同時に画素ごとの近接画素とのキャリア成分比を検出し、その比率に応じて誤差補正近似直線群情報を選択する。選択された誤差補正近似直線群情報から誤差補正値を算出し、これとキャリア成分やキャリア成分の比から最終的な誤差補正値を決定する。決定された誤差補正値を、補正近似直線群情報により算出された補正値に加減算して最終的な補正値を算出する。本実施形態では、上記二段階の補正値の計算に限定されず、複数ブロック間のキャリア成分のゲイン補正を行った後にさらに誤差分についても補正を行う多段階の補正値の計算（三段階以上）を行うことで、さらに精度のよい補正を行うことができる。
【００３０】
<構成要件の明示>
以下に、本実施形態の構成要件について説明をする。
図１１は、本実施形態の機能ブロック図の一例である。本実施形態の多分割ＣＣＤ補正処理装置１１００は、第二補正近似直線群情報保持部１１０１と、誤差補正近似直線群情報保持部１１０２と、画素用出力値取得部１１０３と、第二選択部１１０４と、第二補正処理部１１０５と、からなる。
【００３１】
<構成要件の説明>
以下に、本実施形態の構成要件について説明する。
（第二補正近似直線群情報保持部）
「第二補正近似直線群情報保持部」は、多分割読出ＣＣＤの分割読出ブロック間での出力差を補正するための補正近似直線群情報を保持するように構成されている。第二補正近似直線群情報保持部に保持される補正近似直線群情報は一組以上であればよい。第二補正近似直線群情報保持部に保持される補正近似直線群情報は、第一段階の補正値の計算に利用される。
図１２は、全画素を構成する４種類の画素（Ａ１）、（Ａ２）、（Ａ３）、（Ａ４）のうち、例えば、画素（Ａ１）についての補正近似直線群情報の一例を示しており、補正に使用する基準の色（例えば白）の補正近似直線群情報を示している。なお、図１２は、２分割ＣＣＤの場合の補正近似直線群情報であり、横軸を画素用出力値、縦軸を左右画素間の画素用出力値のゲイン差としている。他の画素（Ａ２）、（Ａ３）、（Ａ４）についても同様に補正近似直線群情報が生成される。
第二補正近似直線群情報保持部に保持されている補正近似直線群情報は、第二選択部に出力されるなどして利用される。なお、補正近似直線群情報の生成の仕方については、実施形態１の補正近似直線群情報の生成方法と同様であるので説明を省略する。
【００３２】
（誤差補正近似直線群情報保持部）
「誤差補正近似直線群情報保持部」は、多分割読出ＣＣＤの分割読出ブロック間での出力差を補正するための誤差補正近似直線群情報を保持するように構成されている。ここで「誤差補正近似直線群情報」とは、基準の補正近似直線群情報を利用して第一段階の補正値の計算をした後、さらに誤差を補正するために利用される基準の補正近似直線群情報からの差分の補正近似直線群情報のことをいう。誤差補正近似直線群情報は、一例として、横軸に各画素の画素用出力値を、縦軸に基準の補正近似直線群情報とその他の補正近似直線群情報との画素用出力値のゲイン差をとって、誤差補正近似直線群情報を描くことによりグラフ表示される。なお、誤差補正近似直線群情報保持部に保持される誤差補正近似直線群情報は一組以上であればよい。誤差補正近似直線群情報保持部に保持される誤差補正近似直線群情報は、第二段階以降の補正値の計算に利用される。
図４８は、白を基準の補正近似直線群情報とした場合に、赤の誤差補正近似直線群情報を生成する場合の一例を示す図である。図４８の左側は、実施形態１と同様にして生成した、白と赤の補正近似直線群情報を、図４８の右側は、生成された誤差補正近似直線群情報をそれぞれ示している。例えば、図４８の左側に示すように、画素用出力値Ｌにおける白と赤の補正近似直線群情報の誤差をＧとする。このとき、このＧを縦軸（基準（白）の補正近似直線群情報と赤の補正近似直線群情報との誤差）としてプロットしていくことにより、図４８の右側に示すような赤の誤差補正近似直線群情報が生成される。他の色の誤差補正近似直線群情報についても同様に生成される。
図１３は、全画素を構成する４種類の画素（Ａ１）、（Ａ２）、（Ａ３）、（Ａ４）のうち、例えば、画素（Ａ１）についての誤差補正近似直線群情報の一例を示しており、誤差補正に使用する複数色（例えば赤、緑、青）の誤差補正近似直線群情報を示している。なお、図１３は、横軸を画素用出力値とし、縦軸を基準の補正近似直線群情報との誤差としている。縦軸のダイナミックレンジは、一例として、実施形態１の第一補正近似直線群情報保持部に保持されている複数の補正近似直線群情報の縦軸が１４ビット必要である場合には、誤差補正近似直線群情報の縦軸は８ビットに削減できる。他の画素（Ａ２）、（Ａ３）、（Ａ４）についても同様に誤差補正近似直線群情報が生成される。
誤差補正近似直線群情報保持部に保持されている誤差補正近似直線群情報は、第二選択部に出力されるなどして利用される。なお、誤差補正近似直線群情報の生成の仕方については、第二補正近似直線群情報保持部に保持されている基準の補正近似直線群情報との差分を計算して生成する以外は実施形態１の補正近似直線群情報の生成方法と同様であるので説明を省略する。
【００３３】
（画素用出力値取得部）
「画素用出力値取得部」は、多分割読出ＣＣＤの画素用出力値を取得するように構成されている。画素用出力値は、第二選択部と、第二補正処理部に出力されるなどして利用される。それ以外の点については、実施形態１の（画素用出力値取得部）と同様であるので説明を省略する。
【００３４】
（第二選択部）
「第二選択部」は、画素用出力値取得部で取得した画素用出力値に基づいて第二補正近似直線群情報保持部に保持されている補正近似直線群情報を選択し、さらに、画素用出力値取得部から取得した画素用出力値に基づいて誤差補正近似直線群情報保持部に保持されている誤差補正近似直線群情報を選択するように構成されている。なお、選択された補正近似直線群情報と誤差補正近似直線群情報は、第二補正処理部に出力されるなどして利用される。なお、補正近似直線群情報と誤差補正近似直線群情報の選択方法についての考え方は、実施形態１の（第一選択部）と同様であるので説明を省略する。
【００３５】
（第二補正処理部）
「第二補正処理部」は、第二選択部にて選択された補正近似直線群情報と、誤差補正近似直線群情報とを利用して画素用出力値を補正するように構成されている。すなわち、第一段階の補正値の計算は、基準の補正近似直線群情報を利用して行われ、第二段階以降の補正値の計算は、誤差補正近似直線群情報を利用して行われる。例えば、４種類の画素（Ａ１）、（Ａ２）、（Ａ３）、（Ａ４）を使用する場合を考える。画素（Ａ１）を補正する場合には、まず第二選択部にて選択された補正近似直線群情報によって補正値を計算する。次に、第二選択部にて選択された誤差補正近似直線群情報によって誤差補正値を計算する。最後に、補正近似直線群情報によって計算された補正値と誤差補正近似直線群情報によって計算された誤差補正値により、当該画素（Ａ１）の画素用出力値の最終的な補正値を決定する。具体的な補正の考え方について、以下に説明する。なお、本実施形態においては、補正近似直線群情報と誤差補正近似直線群情報を利用して二段階以上に分けて補正値の計算をすること以外の基本的な考え方は、実施形態１の補正方法と同様であるので詳細は省略して説明する。
以下に、補正近似直線群情報と誤差補正近似直線群情報を利用して二段階の補正値の計算をする場合について説明する。なお、以下の説明では、２分割のＣＣＤを使用し、ＣＣＤを構成する画素として、４種類の画素（Ａ１）、（Ａ２）、（Ａ３）、（Ａ４）を使用するものとする。
図１４は、第一段階の補正値の計算に利用される基準の白の補正近似直線群情報の概念の一例を示している。左ブロックの特定画素Ａ（Ａ１）について画素用出力値がａであったとする。このとき、図１４より、ゲイン差Ｇ１を得る。
図１５は、第二段階の補正値の計算に利用される誤差補正近似直線群情報の概念の一例を示している。画素Ａ（Ａ１）の画素用出力値ａと近接画素Ｂ（Ａ２）の画素用出力値ｂとの比を計算し、比ａ／ｂが１以上であったので、所定のルールに従って赤の誤差補正近似直線群情報を選択して、図１５より、基準の補正近似直線群情報との誤差ｇ１を得る。
次に、ゲイン差Ｇ１と誤差ｇ１から、最終的な補正値がＧ１＋ｇ１と算出される。他のＡ１と同種の画素（Ａ１）についても同様に計算できる。さらに他の種類の画素（Ａ２）、（Ａ３）、（Ａ４）についても同様に計算できる。以上の動作により、全画素を構成する４種類の画素（Ａ１）、（Ａ２）、（Ａ３）、（Ａ４）について補正をすることができる。
なお、本件発明は、上記二段階の補正値の計算に限定されるものではない。例えば、二段階の補正値の計算を行った後、さらに誤差補正近似直線群情報を利用して、三段階以上の補正値の計算を行うこともできる。
【００３６】
（多分割ＣＣＤ補正処理装置）
図１０は、本実施形態の多分割ＣＣＤ補正処理装置の概念の一例を示すための図である。なお、図１０においては、一例として、補色フィルタを用いたＣＣＤについて説明している。
本実施形態の多分割ＣＣＤ補正処理装置１０００は、あらかじめ第二補正近似直線群情報保持部１００１が、自身のメモリに補正近似直線群情報（図１０においては一組、例えば、白色の被写体を撮影して作成したものなど）を保持し、誤差補正近似直線群情報保持部１００２が、自身のメモリに誤差補正近似直線群情報（図１０においては三組、例えば、赤、緑、青色の被写体を撮影して作成したものなど）を保持している。ここで、多分割ＣＣＤ補正処理装置の利用者が動画を撮影すると、画素用出力値取得部１００３は、全画素の画素用出力値を取得する。ここで、その中の特定画素の画素用出力値ａ（図１０においては、左隅の画素（Ｃ１）の出力値）について考えてみる。第二選択部１００４は、第二補正近似直線群情報保持部に保持されている白の補正近似直線群情報と誤差補正近似直線群情報保持部に保持されている誤差補正近似直線群情報、例えば、画素（Ｃ１）用の赤の誤差補正近似直線群情報を選択する。次に、第二補正処理部１００５は、第二選択部にて選択された白の補正近似直線群情報と赤の誤差補正近似直線群情報を利用して、画素用出力値ａから補正値Ｂ１、Ｂ２を算出し補正する。なお、補色フィルタの場合には、（Ｃ１）と同様に、（Ｃ２）、（Ｃ３）、（Ｃ４）用の補正近似直線群情報、誤差補正近似直線群情報が作成される（図１０には、例えば、画素（Ｃ１）用の白の補正近似直線群情報、誤差補正近似直線群情報（赤、緑、青）を示している）。本実施形態の多分割ＣＣＤ補正処理装置は、基準の補正近似直線群情報で補正し、その誤差を誤差補正近似直線群情報でさらに補正することを特徴としている。誤差補正近似直線群情報の生成方法が、基準の補正近似直線群情報との差分であることが特徴である。このため誤差補正近似直線群情報のダイナミックレンジが小さくできるので、メモリ容量の節約ができる。一例として、実施形態１の複数の補正近似直線群情報を使用して補正をする場合には、ダイナミックレンジは１４ビット必要であるが、本実施形態の誤差補正近似直線群情報を使用する場合にはダイナミックレンジは８ビットで済む。なお、補正の仕方の基本的な考え方については、実施形態１と同様である。
【００３７】
<処理の流れ>
以下に、本実施形態の処理の流れについて説明する。
図１６は、本実施形態の処理の流れの一例である。
まず、多分割ＣＣＤ補正処理装置において、画素用出力値取得ステップは、多分割読出ＣＣＤの画素用出力値を取得する（ステップＳ１６０１）。次に、多分割ＣＣＤ補正処理装置において、第二選択ステップは、画素用出力値取得ステップで取得した画素用出力値に基づいて補正近似直線群情報を選択し、さらに、画素用出力値取得ステップから取得した画素用出力値に基づいて誤差補正近似直線群情報を選択する（ステップＳ１６０２）。次に、多分割ＣＣＤ補正処理装置において、第二補正処理ステップは、第二選択ステップにて選択された補正近似直線群情報と、誤差補正近似直線群情報とを利用して画素用出力値を補正する（ステップＳ１６０３）。
【００３８】
（デジタル映像記録装置）
本実施形態は、多分割ＣＣＤ補正処理装置を有するデジタル映像記録装置、例えば、デジタルカメラ、ムービー、ビデオカメラなどに適用可能である。
【００３９】
<実施形態２の効果の簡単な説明>
本実施形態の多分割ＣＣＤ補正処理装置によれば、品質の悪いＣＣＤの分割ブロック間の色合いを補正することができる。なぜならば、補正近似直線群情報と誤差補正近似直線群情報を利用して画素の応じた適切な補正を行うことができるからである。また、誤差補正近似直線群情報を利用するので、補正近似直線群情報のみを利用する場合に比べて、保存に必要なメモリ容量を削減することができる。
【００４０】
<<実施形態３>>
以下に、実施形態３について説明する。
<実施形態３の概念>
以下に本実施形態の概念について説明する。本実施形態の多分割ＣＣＤ補正処理装置は、第一選択部が、出力を補正すべき画素と、その画素に近接している画素の画素用出力値の比に基づいて前記選択をする実施形態１に記載の多分割ＣＣＤ補正処理装置に関する。本実施形態は、補正近似直線群情報の選択には色成分（キャリア成分）の比が用いられることが特徴である。これはＣＣＤの特性および、アナログ回路のばらつきによる左右の差がキャリア成分の比に近似的に比例しているという実験結果から決定されたものである。また本実施形態においては、第一選択部が、画素用出力値の比に基づいて第一補正近似直線群情報保持部に保持されている複数の補正近似直線群情報から二組以上の補正近似直線群情報を選択すること以外は実施形態１と同様なので説明を省略する。
【００４１】
<実施形態３の効果の簡単な説明>
本実施形態によれば、自身と自身に近接する画素の画素用出力値の比率（キャリア成分の比）により、複数の補正近似直線群情報から補正に利用する二組以上の補正近似直線群情報を選択することができる。
【００４２】
<<実施形態４>>
以下に、実施形態４について説明する。
<実施形態４の概念>
以下に本実施形態の概念について説明する。本実施形態の多分割ＣＣＤ補正処理装置は、第二選択部が、出力を補正すべき画素と、その画素に近接している画素の画素用出力値の比に基づいて前記選択をする実施形態２に記載の多分割ＣＣＤ補正処理装置に関する。本実施形態は、補正近似直線群情報（誤差補正近似直線群情報）の選択に色成分（キャリア成分）の比が用いられることが特徴である。これはＣＣＤの特性および、アナログ回路のばらつきによる左右の差がキャリア成分の比に近似的に比例しているという実験結果から決定されたものである。また本実施形態においては、第二選択部が、画素用出力値の比に基づいて補正近似直線群情報を選択し、さらに、画素用出力値の比に基づいて誤差補正近似直線群情報を選択すること以外は実施形態２と同様なので説明を省略する。
【００４３】
<実施形態４の効果の簡単な説明>
本実施形態によれば、自身と自身に近接する画素の画素用出力値の比率（キャリア成分の比）により、補正に利用する補正近似直線群情報および誤差補正近似直線群情報を選択することができる。
【００４４】
<<実施形態５>>
以下に、実施形態５について説明する。
<実施形態５の概念>
以下に本実施形態の概念について説明する。本実施形態の多分割ＣＣＤ補正処理装置は、第一補正処理部が、出力を補正すべき画素と、その画素に近接している画素の画素用出力値の比を利用して前記補正をする第一出力比利用補正手段を有する実施形態１に記載の多分割ＣＣＤ補正処理装置に関する。
【００４５】
<構成要件の明示>
以下に、本実施形態の構成要件について説明をする。
図１７は、本実施形態の機能ブロック図の一例である。本実施形態の多分割ＣＣＤ補正処理装置１７００は、第一補正近似直線群情報保持部１７０１と、画素用出力値取得部１７０２と、第一選択部１７０３と、第一補正処理部１７０４と、からなる。また第一補正処理部は、第一出力比利用補正手段１７０５を有する。
【００４６】
<構成要件の説明>
以下に、本実施形態の構成要件について説明する。
【００４７】
（第一補正近似直線群情報保持部）、（画素用出力値取得部）、（第一選択部）
「第一補正近似直線群情報保持部」、「画素用出力値取得部」、「第一選択部」については、実施形態１と同様なので説明を省略する。
【００４８】
（第一補正処理部）
「第一補正処理部」は、第一出力比利用補正手段を有する。ここで「第一出力比利用補正手段」は、出力を補正すべき画素と、その画素に近接している画素の画素用出力値の比を利用して補正をするように構成されている。補正近似直線群情報を利用した画素用出力値の補正値の算出にあたっては、色成分（キャリア成分）の比が利用される。これはＣＣＤの特性および、アナログ回路のばらつきによる左右の差がキャリア成分の比に近似的に比例しているという実験結果から決定されたものである。「補正」の具体例については、後述の（実施例１）において説明する。
【００４９】
<処理の流れ>
本実施形態の処理の流れについては実施形態１と同様なので説明を省略する。
【００５０】
（実施例１）
以下に本実施形態の実施例１について説明する。なお、実施例１においては、２分割の場合の多分割ＣＣＤ補正処理装置について説明している。
図１８は本実施例の多分割ＣＣＤ補正処理装置を含む装置の全体ブロック図の一例を示す図である。本実施例の多分割ＣＣＤ補正処理装置は、２分割読み出し方式ＣＣＤ１８０１と、２ブロックＣＤＳ（Ｃｏｒｒｅｌａｔｅｄ  Ｄｏｕｂｌｅ  Ｓａｍｐｌｉｎｇ：相関二重サンプル）／ＡＤＣ（Ａｎａｌｏｇ  Ｄｉｇｉｔａｌ  Ｃｏｎｖｅｒｓｉｏｎ：ＡＤ変換）回路１８０５と、ゲイン検出回路（画素用出力値取得部に対応）１８０６と、不揮発性メモリ（ＥＥＰＲＯＭ等：第一補正近似直線群情報保持部に対応）１８０７と、制御用マイコン１８０８と、ゲイン補正回路（第一選択部、第一補正処理部に対応）１８０９と、画素並替回路１８１０と、ＣＣＤ信号処理回路１８１１と、キャリア成分検出回路１８１２と、を有する。
図１９は、本実施例のゲイン補正回路に関するブロック図の一例を示す図である。図１９のブロック図は、キャリア成分検出回路１９０１と、ゲイン補正回路１９０２と、補正近似直線選択回路（第一選択部に対応）１９０３と、基準の補正近似直線群情報による補正回路（第一補正処理部に対応）１９０４と、キャリアの大きな補正近似直線群情報による補正回路（第一補正処理部に対応）１９０５と、キャリア成分の比率による補正値算出回路（第一出力比利用補正手段に対応）１９０６と、により構成されている。
また、２分割読み出し方式ＣＣＤ１８０１は、受光素子（フォトダイオード）、垂直転送ＣＣＤ１８０２、水平転送ＣＣＤ（水平転送部に相当）１８０３、１８０４により構成されている。被写体の撮像光は、受光素子１８０２により光電変換され電荷として蓄積される。この電荷はあるタイミングで垂直転送ＣＣＤ（垂直転送部に相当）１８０２に移される。垂直転送ＣＣＤ１８０２は左右二つに分割されており左半分の垂直転送ＣＣＤは左半分の水平転送ＣＣＤ１８０３へ、右半分の垂直転送ＣＣＤは右半分の水平転送ＣＣＤ１８０４へ、一ラインごとのタイミングで送られる。水平転送ＣＣＤ１８０３、１８０４は転送された電荷をそれぞれ左右へ転送をおこない、左右のアンプを介して電圧信号として出力される。出力された信号は２ブロックＣＤＳ／ＡＤＣ回路１８０５に送られデジタル化される。ここで、Ａ／Ｄ変換され、２ブロック別々に読み出された信号はレベル差を生じる。このレベル差はＣＣＤの内部およびＡ／Ｄ変換回路により生じ、受光素子の出力レベルに依存することが知られている（特開２００２−３２０４１２）。また、色成分（キャリア成分、ある種類の画素の画素用出力値）によってもその差が変化することが実験により確認された。また基板の特性によっても変わることも確認されている。ここまでは補正近似直線群情報作成時、および通常撮影時において動作は同じである。
次に、補正近似直線群情報作成時について説明する。補正近似直線群情報作成時には、まず基準となる補正近似直線群情報を作成するために、できるだけキャリア成分の少ない一様な被写体を撮影する。ここでキャリア成分について説明する。ここでは例として補色のフィルタを用いたＣＣＤについて説明する。
図２０、２１は、補色フィルタの配列の一例を示す図である。通常、補色フィルタは図２０のような配列で並べられており、動画撮影時には垂直方向の画素用出力値が加算され図２１の配列のような形で出力される。つまりあるラインについては画素（Ｃ１：Ｍｇ＋Ｙｅ）の画素用出力値ｃ１と画素（Ｃ２：Ｇ＋Ｃｙ）の画素用出力値ｃ２が交互に出力され、次のラインでは画素（Ｃ４：Ｇ＋Ｙｅ）の画素用出力値ｃ４、画素（Ｃ３：Ｍｇ＋Ｃｙ）の画素用出力値ｃ３が交互に出力される。静止画撮影時にはあるフィールドでは（Ｍｇ）の画素用出力値ｄ１、（Ｇ）の画素用出力値ｄ２が交互に、次のフィールドでは（Ｙｅ）の画素用出力値ｄ４、（Ｃｙ）の画素用出力値ｄ３が交互に出力される。キャリア成分が少ない（例えば、白など）被写体を撮影した場合、これらの水平方向の比が１に近くなる。たとえば動画撮影時ではｃ１／ｃ２＝１、ｃ３／ｃ４＝１というようになる。（これは原色のＣＣＤにおいても同様で原色の場合はあるラインが（Ｒ）の画素用出力値ｅ１、（Ｇ）の画素用出力値ｅ２が交互に、次のラインは（Ｇ）の画素用出力値ｅ４、（Ｂ）の画素用出力値ｅ３が交互に出力される。キャリア成分が少ない被写体ではｅ１／ｅ２＝１、ｅ３／ｅ４＝１となる。）このとき図１８のＣＣＤ中央領域１８１３の左右データ平均値（例えば、画素（Ｃ１）の画素用出力値ｃ１、（Ｃ２）の画素用出力値ｃ２、（Ｃ３）の画素用出力値ｃ３、（Ｃ４）の画素用出力値ｃ４のそれぞれについての平均値）から、左右のゲイン差（例えば、ＣＣＤ中央領域の左右の画素（Ｃ１）、（Ｃ２）、（Ｃ３）、（Ｃ４）のそれぞれの画素用出力値ｃ１、ｃ２、ｃ３、ｃ４）についての平均値のゲイン差）を求め、これから補正用の補正近似直線群情報を作成する（例えば、画素（Ｃ１）、（Ｃ２）、（Ｃ３）、（Ｃ４）のそれぞれについて補正近似直線群情報を作成）。また、このときの水平方向キャリア成分の比についても記録する。すなわちキャリア成分が少ない被写体を撮影した場合について、撮影光量を変化させながら測定し、それぞれのラインの画素用出力値の比ｃ１／ｃ２、ｃ３／ｃ４を算出する。これらの比をｃ１／ｃ２：ｗｒ＿Ｃ１Ｃ２、ｃ３／ｃ４：ｗｒ＿Ｃ３Ｃ４とする。なお、ラインの比ｃ１／ｃ２、ｃ３／ｃ４を算出するのに使用するｃ１、ｃ２、ｃ３、ｃ４の値は、ＣＣＤ中央領域の左右どちらか基準とするｃ１、ｃ２、ｃ３、ｃ４の値の平均値を使用する。
次に複数のキャリア成分の大きな補正近似直線群情報を作成する。キャリア成分の大きな（例えば、赤、緑、青など）被写体を、撮影光量を変化させながら撮影して同様に補正近似直線群情報およびそれぞれのラインの比を記録する。ここでは赤、緑、青の３色の被写体を、撮影光量を変化させながら撮影して３色についてそれぞれ画素用出力値ｃ１、ｃ２、ｃ３、ｃ４を測定し、それぞれのラインの画素用出力値の比ｃ１／ｃ２、ｃ３／ｃ４を算出する。そこからｃ１／ｃ２>＝ｗｒ＿Ｃ１Ｃ２、ｃ１／ｃ２<ｗｒ＿Ｃ１Ｃ２及びｃ３／ｃ４>＝ｗｒ＿Ｃ３Ｃ４、ｃ３／ｃ４<ｗｒ＿Ｃ３Ｃ４となる補正近似直線群情報を作成する。今回の例では赤、青、緑の被写体を、撮影光量を変化させながら撮影し、ｃ１／ｃ２>＝ｗｒ＿Ｃ１Ｃ２を赤の被写体の撮影から、ｃ１／ｃ２<ｗｒ＿Ｃ１Ｃ２を緑の被写体の撮影から、ｃ３／ｃ４>＝ｗｒ＿Ｃ３Ｃ４を青の被写体の撮影から、ｃ３／ｃ４<ｗｒ＿Ｃ３Ｃ４を緑の被写体の撮影から作成する。これらの補正近似直線群情報および水平方向のキャリア成分の比（ｃ１／ｃ２>＝ｗｒ＿Ｃ１Ｃ２の比、ｃ１／ｃ２<ｗｒ＿Ｃ１Ｃ２の比、ｃ３／ｃ４>＝ｗｒ＿Ｃ３Ｃ４の比、ｃ３／ｃ４<ｗｒ＿Ｃ３Ｃ４の比）を、制御マイコン１８０８を介して不揮発性メモリに記録しておく。（ここで、それぞれの比をｃ１／ｃ２>＝ｗｒ＿Ｃ１Ｃ２の比：ｐｒ＿Ｃ１Ｃ２、ｃ１／ｃ２<ｗｒ＿Ｃ１Ｃ２の比：ｎｒ＿Ｃ１Ｃ２、ｃ３／ｃ４>＝ｗｒ＿Ｃ３Ｃ４の比：ｐｒ＿Ｃ３Ｃ４、ｃ３／ｃ４<ｗｒ＿Ｃ３Ｃ４の比：ｎｒ＿Ｃ３Ｃ４とする。）
次に、通常撮影時について説明する。通常撮影時においては、制御用マイコン１８０８は、撮影前にゲイン補正回路に対して不揮発性メモリに記録してある補正近似直線群情報および水平方向のキャリア成分の比をゲイン補正回路に設定する。また、キャリア成分検出回路１８１２およびゲイン補正回路１８０９は図１９に示す構成となっており、以下のように動作する。通常撮影においてＣＣＤから出力された信号のうち右側の出力はＡＤ変換された後キャリア成分検出回路１９０１に入力される。ここで（Ｃ１）、（Ｃ２）のラインであればｃ１／ｃ２が計算され、（Ｃ３）、（Ｃ４）のラインであればｃ３／ｃ４が計算され、これをキャリア成分の検出結果とする。この後、信号とキャリア成分の検出結果はゲイン補正回路１９０２に入力される。キャリア成分の検出結果は補正近似直線選択回路１９０３に入力され、キャリア成分を持つ補正近似直線群情報が選択される。たとえばキャリア成分の検出結果がｃ１／ｃ２>＝ｗｒ＿Ｃ１Ｃ２であればそれに対応した補正近似直線群情報が選択される。これは次のキャリアの大きな補正近似直線群情報による補正回路１９０５に入力され補正に使われる。同時に記録してあるこの補正近似直線群情報に対応する比ｐｒ＿Ｃ１Ｃ２も選択される。これはキャリア成分の比率による補正点算出回路１９０６での計算で使用される。一方入力された信号は基準の補正近似直線群情報（キャリア成分がほぼ０のもの）の補正回路１９０４とキャリアの大きな補正近似直線群情報による補正回路１９０５の両方に入力され、それぞれ補正値が計算される。
図２２は、補正値の計算の一例を説明するための図である。図２２の２２０１、２２０２に示すように、入力画素用出力値に応じてそれぞれの補正近似直線群情報から補正値が求められる。求められたそれぞれの補正値はキャリア成分の比率による補正点算出回路１９０６に送られる。補正点算出回路１９０６では１９０１で検出されたキャリア成分の比率により最終の補正点を決定する。補正点の計算は以下のように行う。たとえばｃ１／ｃ２>＝ｗｒ＿Ｃ１Ｃ２の場合には検出された比率をｃ１／ｃ２＝ｘ＿ｒａｔｉｏ、基準の補正近似直線群情報から計算された補正値をＡ、キャリア成分の大きな補正近似直線群情報による補正値をＢとし、最終的な補正値をＤとすると
Ｄ＝（Ｂ−Ａ）＊
（ｘ＿ｒａｔｉｏ−ｗｒ＿Ｃ１Ｃ２）／（ｐｒ＿Ｃ１Ｃ２−ｗｒ＿Ｃ１Ｃ２）＋Ａ
となる。
なお、補正点の計算は以下のように非線形変換回路の係数Ｋをもちいて行うこともできる。たとえばｃ１／ｃ２>＝ｗｒ＿Ｃ１Ｃ２の場合には検出された比率をｃ１／ｃ２＝ｘ＿ｒａｔｉｏ、基準の補正近似直線群情報から計算された補正値をＡ、キャリア成分の大きな補正近似直線群情報による補正値をＢとし、非線形変換回路の係数をＫ、出力をＥ、最終的な補正値をＤとすると
Ｅ＝Ｋ＊（ｘ＿ｒａｔｉｏ−ｗｒ＿Ｃ１Ｃ２）／（ｐｒ＿Ｃ１Ｃ２−ｗｒ＿Ｃ１Ｃ２）
Ｄ＝（Ｂ−Ａ）＊Ｅ＋Ａ
となる。
図２３は、非線形変換回路の係数Ｋをもちいる場合のゲイン補正回路に関するブロック図の一例を示す図である。図２３のブロック図は、キャリア成分検出回路２３０１と、ゲイン補正回路２３０２と、補正近似直線選択回路（第一選択部に対応）２３０３と、基準の補正近似直線群情報による補正回路（第一補正処理部に対応）２３０４と、キャリアの大きな補正近似直線群情報による補正回路（第一補正処理部に対応）２３０５と、キャリア成分の比率による補正値算出回路（第一出力比利用補正手段に対応）２３０６と、非線形変換回路２３０７と、により構成されている。
図２４は、非線形変換回路の係数Ｋを説明するための図である。図２４に示すように入力に対して出力が非線形になっている。非線形変換回路を用いることによりさらに精度のよい補正を行うことができる。
【００５１】
<実施形態５の効果の簡単な説明>
本実施形態の多分割ＣＣＤ補正処理装置によれば、品質の悪いＣＣＤの分割ブロック間の色合いを補正することができる。なぜならば、出力を補正すべき画素と、その画素に近接している画素の画素用出力値の比を利用して補正をすることができるからである。
【００５２】
<<実施形態６>>
以下に、実施形態６について説明する。
<実施形態６の概念>
以下に本実施形態の概念について説明する。本実施形態の多分割ＣＣＤ補正処理装置は、第二補正処理部が、出力を補正すべき画素と、その画素に近接している画素の画素用出力値の比を利用して前記補正をする第二出力比利用補正手段を有する実施形態２に記載の多分割ＣＣＤ補正処理装置に関する。
【００５３】
<構成要件の明示>
以下に、本実施形態の構成要件について説明をする。
図２５は、本実施形態の機能ブロック図の一例である。本実施形態の多分割ＣＣＤ補正処理装置２５００は、第二補正近似直線群情報保持部２５０１と、誤差補正近似直線群情報保持部２５０２と、画素用出力値取得部２５０３と、第二選択部２５０４と、第二補正処理部２５０５と、からなる。また第二補正処理部は、第二出力比利用補正手段２５０５を有する。
【００５４】
<構成要件の説明>
以下に、本実施形態の構成要件について説明する。
（第二補正近似直線群情報保持部）、（誤差補正近似直線群情報保持部）、（画素用出力値取得部）、（第二選択部）
「第二補正近似直線群情報保持部」、「誤差補正近似直線群情報保持部」、「画素用出力値取得部」、「第二選択部」については、実施形態２と同様なので説明を省略する。
【００５５】
（第二補正処理部）
「第二補正処理部」は、第二出力比利用補正手段を有する。ここで「第二出力比利用補正手段」は、出力を補正すべき画素と、その画素に近接している画素の画素用出力値の比を利用して補正をするように構成されている。補正近似直線群情報（誤差補正近似直線群情報）を利用した画素用出力値の補正値の算出にあたっては、色成分（キャリア成分）の比が利用される。これはＣＣＤの特性および、アナログ回路のばらつきによる左右の差がキャリア成分の比に近似的に比例しているという実験結果から決定されたものである。「補正」の具体例については、後述の（実施例２）において説明する。
【００５６】
<処理の流れ>
本実施形態の処理の流れについては実施形態２と同様なので説明を省略する。
【００５７】
（実施例２）
以下に本実施形態の実施例２について説明する。なお、実施例２においては、２分割の場合の多分割ＣＣＤ補正処理装置について説明している。
図１８は本実施例の多分割ＣＣＤ補正処理装置の全体ブロック図の一例を示す図であり、実施形態５の実施例１と同様である。
図２６は、本実施例のゲイン補正回路に関するブロック図の一例を示す図である。図２６のブロック図は、キャリア成分検出回路２６０１と、ゲイン補正回路２６０２と、誤差補正近似直線選択回路図（第二選択部に対応）２６０３と、基準の補正近似直線群情報による補正回路（第二補正処理部に対応）２６０４と、誤差補正近似直線群情報による補正回路（第二補正処理部に対応）２６０５と、キャリア成分の比率による誤差補正量算出回路（第二出力比利用補正手段に対応）２６０６と、により構成されている。
【００５８】
次に本実施例の補正近似直線群情報、誤差補正近似直線群情報作成時および通常撮影時について説明する。まず補正近似直線群情報、誤差補正近似直線群情報作成時には実施形態５の実施例１と同様にキャリア成分の少ない被写体を撮影し基準となる補正近似直線群情報を作成する。また、このときの水平方向の比についても記録する。ここまでは実施例１と同様である。次にキャリア成分の大きい被写体を撮影しデータを取得する。ここで実施例１とは異なり基準となる補正近似直線群情報との差から誤差補正近似直線群情報を作成する。
図２７は、誤差補正近似直線群情報の一例を説明するための図である。誤差補正近似直線群情報は図２７に示すように、図２２の基準となる補正近似直線群情報の画素用出力値とキャリア成分の大きな補正近似直線群情報の画素用出力値との差である。撮影被写体については、ここでは実施例１と同様に３色（例えば、赤、緑、青）とし、ｃ１／ｃ２>＝ｗｒ＿Ｃ１Ｃ２、ｃ１／ｃ２<ｗｒ＿Ｃ１Ｃ２及びｃ３／ｃ４>＝ｗｒ＿Ｃ３Ｃ４、ｃ３／ｃ４<ｗｒ＿Ｃ３Ｃ４の誤差補正近似直線群情報を作成する。また実施例１と同様に補正近似直線群情報、誤差補正近似直線群情報、キャリア成分の比については制御マイコン１８０８を介して不揮発性メモリに記録する。つまりここでは、一組の基準の補正近似直線群情報と複数の誤差補正近似直線群情報、およびそれぞれの直線群情報を作成したときのキャリア成分の比が作成される。（比については実施例１と同様である。）
次に、通常撮影時について説明する。通常撮影時においては、制御用マイコン１８０８は撮影前にゲイン補正回路に対して不揮発性メモリに記録してある補正近似直線群情報、誤差補正近似直線群情報および水平方向のキャリア成分の比をゲイン補正回路に設定する。また、キャリア成分検出回路１８１２およびゲイン補正回路１８０９は、図２６に示す構成となっており以下のように動作する。通常撮影においてＣＣＤから出力された信号のうち右側の出力はＡＤ変換された後キャリア成分検出回路２６０１に入力される。ここで（Ｃ１）、（Ｃ２）のラインであればｃ１／ｃ２が計算され、（Ｃ３）、（Ｃ４）のラインであればｃ３／ｃ４が計算され、これをキャリア成分の検出結果とする。この後、信号とキャリア成分の検出結果はゲイン補正回路２６０２に入力される。キャリア成分の検出結果は誤差補正近似直線選択回路２６０３に入力され、キャリア成分を持つ誤差補正近似直線群情報が選択される。たとえばキャリア成分の検出結果がｃ１／ｃ２>＝ｗｒ＿Ｃ１Ｃ２であればそれに対応した誤差補正近似直線群情報が選択される。これは次の誤差補正近似直線群情報による補正回路２６０５に入力され誤差補正に使われる。同時に記録してあるこの誤差補正近似直線群情報に対応する比ｐｒ＿Ｃ１Ｃ２も選択される。これはキャリア成分の比率による誤差補正量算出回路２６０６での計算で使用される。
一方、入力された信号は基準の補正近似直線群情報（キャリア成分がほぼ０のもの）の補正回路２６０４と誤差補正近似直線群情報による補正回路２６０５の両方に入力され、補正値、および誤差補正値が計算される。これは図２２の２２０１（基準の補正近似直線群情報からの補正値は実施例１と同じ）、図２７の２７０１に示すように入力画素用出力値に応じてそれぞれの補正近似直線群情報、誤差補正近似直線群情報から補正値、および誤差補正値が求められる。求められた誤差補正値はキャリア成分の比率による誤差補正量算出回路２６０６に送られ誤差補正量が計算される。たとえばｃ１／ｃ２>＝ｗｒ＿Ｃ１Ｃ２の場合には検出された比率をｃ１／ｃ２＝ｘ＿ｒａｔｉｏ、キャリア成分の比率による誤差補正量算出回路２６０６による誤差補正値をＥ、最終の誤差補正値をＦとすると
Ｆ＝Ｅ＊（ｘ＿ｒａｔｉｏ−ｗｒ＿Ｃ１Ｃ２）／（ｐｒ＿Ｃ１Ｃ２−ｗｒ＿Ｃ１Ｃ２）
となる。
なお、補正点の計算は以下のように実施形態５の実施例１で述べた非線形変換回路の係数Ｋをもちいて行うこともできる。たとえばｃ１／ｃ２>＝ｗｒ＿Ｃ１Ｃ２の場合には検出された比率をｃ１／ｃ２＝ｘ＿ｒａｔｉｏ、誤差補正近似直線群情報による補正回路２６０５による誤差補正値をＥ、非線形回路の係数をＫ、出力をＦ、最終の誤差補正値をＧとすると
Ｆ＝Ｋ＊（ｘ＿ｒａｔｉｏ−ｗｒ＿Ｃ１Ｃ２）／（ｐｒ＿Ｃ１Ｃ２−ｗｒ＿Ｃ１Ｃ２）
Ｇ＝Ｆ＊Ｅとなる。
図２８は、非線形変換回路の係数Ｋをもちいる場合のゲイン補正回路に関するブロック図の一例を示す図である。図２８のブロック図は、キャリア成分検出回路２８０１と、ゲイン補正回路２８０２と、誤差補正近似直線選択回路図（第二選択部に対応）２８０３と、基準の補正近似直線群情報による補正回路（第二補正処理部に対応）２８０４と、誤差補正近似直線群情報による補正回路（第二補正処理部に対応）２８０５と、キャリア成分の比率による誤差補正量算出回路（第二出力比利用補正手段に対応）２８０６と、非線形変換回路２８０７と、により構成されている。
【００５９】
<実施形態６の効果の簡単な説明>
本実施形態の多分割ＣＣＤ補正処理装置によれば、品質の悪いＣＣＤの分割ブロック間の色合いを補正することができる。なぜならば、出力を補正すべき画素と、その画素に近接している画素の画素用出力値の比を利用して補正をすることができるからである。また、誤差補正近似直線群情報を利用するので、補正近似直線群情報のみを利用する場合に比べて、保存に必要なメモリ容量を削減することができる。なぜならば、誤差補正近似直線群情報のダイナミックレンジを補正近似直線群情報に比べて小さくできるからである。
【００６０】
<<実施形態７>>
以下に、実施形態７について説明する。
<実施形態７の概念>
以下に本実施形態の概念について説明する。本実施形態の多分割ＣＣＤ補正処理装置は、第一補正処理部が、出力を補正すべき画素と、その画素に近接している画素の画素用出力値の比を利用して前記補正をする第一出力比利用補正手段を有し、前記画素用出力値取得部で取得した画素用出力値が所定の値以下である場合には、前記第一出力比利用補正手段を利用しないで前記補正をする部分迂回処理部を有する実施形態１に記載の多分割ＣＣＤ補正処理装置に関する。
【００６１】
<構成要件の明示>
以下に、本実施形態の構成要件について説明をする。
図２９は、本実施形態の機能ブロック図の一例である。本実施形態の多分割ＣＣＤ補正処理装置２９００は、第一補正近似直線群情報保持部２９０１と、画素用出力値取得部２９０２と、第一選択部２９０３と、第一補正処理部２９０４と、部分迂回処理部２９０６と、からなる。また第一補正処理部は、第一出力比利用補正手段２９０５を有する。
【００６２】
<構成要件の説明>
以下に、本実施形態の構成要件について説明する。
（第一補正近似直線群情報保持部）、（画素用出力値取得部）、（第一選択部）
「第一補正近似直線群情報保持部」、「画素用出力値取得部」、「第一選択部」については、実施形態１と同様なので説明を省略する。
【００６３】
（第一補正処理部）
「第一補正処理部」は、第一出力比利用補正手段を有する。ここで「第一出力比利用補正手段」は、出力を補正すべき画素と、その画素に近接している画素の画素用出力値の比を利用して補正をするように構成されている。
【００６４】
（部分迂回処理部）
「部分迂回処理部」は、画素用出力値取得部で取得した画素用出力値が所定の値以下である場合には、第一出力比利用補正手段を利用しないで補正をする。
【００６５】
（実施例３）
以下に実施例３について説明する。実施形態５の（実施例１）で述べたように、補正点は次式のように計算される。たとえばｃ１／ｃ２>＝ｗｒ＿Ｃ１Ｃ２の場合には検出された比率をｃ１／ｃ２＝ｘ＿ｒａｔｉｏ、基準の補正近似直線群情報から計算された補正値をＡ、キャリア成分の大きな補正近似直線群情報による補正値をＢとし、最終的な補正値をＤとすると
Ｄ＝（Ｂ−Ａ）＊
（ｘ＿ｒａｔｉｏ−ｗｒ＿Ｃ１Ｃ２）／（ｐｒ＿Ｃ１Ｃ２−ｗｒ＿Ｃ１Ｃ２）＋Ａ
となる。しかし、画素の比率計算は低輝度になると精度が落ちてしまう。そこである輝度以下の場合には、補正値をある補正近似直線群情報の値に固定してしまうことが望ましい。ここで、左右の差を考慮すると、キャリア成分の比率が大きい場合に左右差が目立つことが確認されている。そこで、ある程度の比率があり、輝度レベルが低い場合には比率による補正値の算出は行わないようにする。以下に図を用いて説明する。
図３０は、本実施例のゲイン補正回路に関するブロック図の一例を示す図である。図３０のブロック図は、キャリア成分検出回路３００１と、ゲイン補正回路３００２と、補正近似直線選択回路（第一選択部に対応）３００３と、基準の補正近似直線群情報による補正回路（第一補正処理部に対応）３００４と、キャリアの大きな補正近似直線群情報による補正回路（第一補正処理部に対応）３００５と、キャリア成分の比率による補正値算出回路（第一出力比利用補正手段に対応）３００６と、部分迂回処理部３００７と、により構成されている。ここで部分迂回処理部に入力された画素用出力値が、所定の値以下である場合には、キャリア成分の比率による図３０の補正量算出回路３００５の出力をそのまま補正値Ｄとする。補正された信号は図１８の画素並替回路１８１０に送られ１ラインに並べ替えられた後ＣＣＤ信号処理１８１１に送られＹＣｒＣｂ信号が作られる。
【００６６】
<処理の流れ>
図３１は、本実施形態の処理の流れの一例である。
まず、多分割ＣＣＤ補正処理装置において、画素用出力値取得ステップは、多分割読出ＣＣＤの画素用出力値を取得する（ステップＳ３１０１）。次に、多分割ＣＣＤ補正処理装置において、部分迂回処理ステップは、画素用出力値取得ステップで取得した画素用出力値が所定の値以下であるかどうか判断し、所定の値以下の場合にはステップＳ３１０３に進み、所定の値以下でない場合にはステップＳ３１０４に進む（ステップＳ３１０２）。次に、多分割ＣＣＤ補正処理装置において、部分迂回処理ステップは、第一出力比利用補正手段を利用しないで補正をする（ステップＳ３１０３）。次に、多分割ＣＣＤ補正処理装置において、第一選択ステップは、画素用出力値取得ステップで取得した画素用出力値に基づいて複数の補正近似直線群情報から二組以上の補正近似直線群情報を選択する（ステップＳ３１０４）。次に、多分割ＣＣＤ補正処理装置において、第一補正処理ステップは、第一出力比利用補正手段を用いて、第一選択ステップにて選択された二組以上の補正近似直線群情報を利用して画素用出力値を補正する（ステップＳ３１０５）。
【００６７】
<実施形態７の効果の簡単な説明>
本実施形態によれば、部分迂回処理部を有するので、画素用出力値取得部で取得した画素用出力値が所定の値以下である場合には、第一出力比利用補正手段を利用しないで補正をすることができる。
【００６８】
<<実施形態８>>
以下に、実施形態８について説明する。
<実施形態８の概念>
以下に本実施形態の概念について説明する。本実施形態の多分割ＣＣＤ補正処理装置は、一の基準補正近似直線群情報を保持する基準補正近似直線群情報保持部を有し、前記画素用出力値取得部で取得した画素用出力値が所定の値以下である場合には、前記第一選択部を利用しないで、前記基準補正近似直線群情報保持部に保持されている基準補正近似直線群情報を前記二組以上の補正近似直線群情報に代えて利用して前記補正を行う実施形態１に記載の多分割ＣＣＤ補正処理装置に関する。
【００６９】
<構成要件の明示>
以下に、本実施形態の構成要件について説明をする。
図３２は、本実施形態の機能ブロック図の一例である。本実施形態の多分割ＣＣＤ補正処理装置３２００は、第一補正近似直線群情報保持部３２０１と、画素用出力値取得部３２０２と、第一選択部３２０３と、第一補正処理部３２０４と、基準補正近似直線群情報保持部３２０５と、からなる。
【００７０】
<構成要件の説明>
以下に、本実施形態の構成要件について説明する。
（第一補正近似直線群情報保持部）、（画素用出力値取得部）、（第一選択部）、（第一補正処理部）
「第一補正近似直線群情報保持部」、「画素用出力値取得部」、「第一選択部」、「第一補正処理部」については、実施形態１と同様なので説明を省略する。
【００７１】
（基準補正近似直線群情報保持部）
「基準補正近似直線群情報保持部」は、基準補正近似直線群情報を保持するように構成されている。ここで「基準補正近似直線群情報」には、基準となる、例えば、キャリア成分が０に近い白の補正近似直線群情報などが挙げられる。基準補正近似直線群情報を利用して補正をする方法は、実施形態１で述べた補正近似直線群情報を利用して補正をする方法と同様なので説明を省略する。
【００７２】
<処理の流れ>
図３３は、本実施形態の処理の流れの一例である。
まず、多分割ＣＣＤ補正処理装置において、画素用出力値取得ステップは、多分割読出ＣＣＤの画素用出力値を取得する（ステップＳ３３０１）。次に、多分割ＣＣＤ補正処理装置において、基準補正近似直線群情報保持ステップは、画素用出力値取得部で取得した画素用出力値が所定の値以下であるかどうか判断し、所定の値以下の場合にはステップＳ３３０３に進み、所定の値以下でない場合にはステップＳ３３０４に進む（ステップＳ３３０２）。次に、多分割ＣＣＤ補正処理装置において、基準補正近似直線群情報保持ステップは、第一選択ステップを利用しないで、基準補正近似直線群情報保持ステップにて保持されている基準補正近似直線群情報を二組以上の補正近似直線群情報に代えて利用して補正を行う（ステップＳ３３０３）。次に、多分割ＣＣＤ補正処理装置において、第一選択ステップは、画素用出力値取得ステップで取得した画素用出力値に基づいて複数の補正近似直線群情報から二組以上の補正近似直線群情報を選択する（ステップＳ３３０４）。次に、多分割ＣＣＤ補正処理装置において、第一補正処理ステップは、第一出力比利用補正手段を用いて、第一選択ステップにて選択された二組以上の補正近似直線群情報を利用して画素用出力値を補正する（ステップＳ３３０５）。
【００７３】
<実施形態８の効果の簡単な説明>
本実施形態の多分割ＣＣＤ補正処理装置によれば、画素用出力値が所定の値以下である場合には、一の基準補正近似直線群情報を利用して補正を行うことができる。
【００７４】
<<実施形態９>>
以下に、実施形態９について説明する。
<実施形態９の概念>
以下に本実施形態の概念について説明する。本実施形態の多分割ＣＣＤ補正処理装置は、第二補正処理部が、出力を補正すべき画素と、その画素に近接している画素の画素用出力値の比を利用して前記補正をする第二出力比利用補正手段を有し、前記画素用出力値取得部で取得した画素用出力値が所定の値以下である場合には、前記第二出力比利用補正手段を利用しないで前記補正をする部分迂回処理部を有する実施形態２に記載の多分割ＣＣＤ補正処理装置に関する。
【００７５】
<構成要件の明示>
以下に、本実施形態の構成要件について説明をする。
図３４は、本実施形態の機能ブロック図の一例である。本実施形態の多分割ＣＣＤ補正処理装置３４００は、第二補正近似直線群情報保持部３４０１と、誤差補正近似直線群情報保持部３４０２と、画素用出力値取得部３４０３と、第二選択部３４０４と、第二補正処理部３４０５と、部分迂回処理部３４０６と、からなる。また第二補正処理部は、第二出力比利用補正手段３４０５を有する。
【００７６】
<構成要件の説明>
以下に、本実施形態の構成要件について説明する。
（第二補正近似直線群情報保持部）、（誤差補正近似直線群情報保持部）、（画素用出力値取得部）、（第二選択部）
「第二補正近似直線群情報保持部」、「誤差補正近似直線群情報保持部」、「画素用出力値取得部」、「第二選択部」については、実施形態２と同様なので説明を省略する。
【００７７】
（第二補正処理部）
「第二補正処理部」は、第二出力比利用補正手段を有する。ここで「第二出力比利用補正手段」は、出力を補正すべき画素と、その画素に近接している画素の画素用出力値の比を利用して補正をするように構成されている。
【００７８】
（部分迂回処理部）
「部分迂回処理部」は、画素用出力値取得部で取得した画素用出力値が所定の値以下である場合には、第二出力比利用補正手段を利用しないで補正をする。
【００７９】
（実施例４）
以下に実施例４について説明する。実施形態６の（実施例２）で述べたように、補正点は次式のように計算される。たとえばｃ１／ｃ２>＝ｗｒ＿Ｃ１Ｃ２の場合には検出された比率をｃ１／ｃ２＝ｘ＿ｒａｔｉｏ、キャリア成分の比率による誤差補正量算出回路２６０６による誤差補正値をＥ、最終の誤差補正値をＦとすると
Ｆ＝Ｅ＊（ｘ＿ｒａｔｉｏ−ｗｒ＿Ｃ１Ｃ２）／（ｐｒ＿Ｃ１Ｃ２−ｗｒ＿Ｃ１Ｃ２）
となる。しかし、画素の比率計算は低輝度になると精度が落ちてしまう。そこである輝度以下の場合には誤差の補正値をある誤差補正近似直線群情報の値に固定してしまうことが望ましい。ここで、左右の差を考慮すると、キャリア成分の比率が大きい場合に左右差が目立つことが確認されている。そこで、ある程度の比率があり、輝度レベルが低い場合には比率による誤差補正値の算出は行わないようにする。以下に図を用いて説明する。
図３５は、本実施例のゲイン補正回路に関するブロック図の一例を示す図である。図３５のブロック図は、キャリア成分検出回路３５０１と、ゲイン補正回路３５０２と、誤差補正近似直線選択回路図（第二選択部に対応）３５０３と、基準の補正近似直線群情報による補正回路（第二補正処理部に対応）３５０４と、誤差補正近似直線群情報による補正回路（第二補正処理部に対応）３５０５と、キャリア成分の比率による誤差補正量算出回路（第二出力比利用補正手段に対応）３５０６と、部分迂回処理部３５０７と、により構成されている。ここで部分迂回処理部に入力された画素用出力値が、所定の値以下である場合には、キャリア成分の比率による誤差補正量算出回路３５０６の出力をそのまま補正値Ｆとする。補正された信号は図１８の画素並替回路１８１０に送られ１ラインに並べ替えられた後ＣＣＤ信号処理１８１１に送られＹＣｒＣｂ信号が作られる。
【００８０】
<処理の流れ>
図３６は、本実施形態の処理の流れの一例である。
まず、多分割ＣＣＤ補正処理装置において、画素用出力値取得ステップは、多分割読出ＣＣＤの画素用出力値を取得する（ステップＳ３６０１）。次に、多分割ＣＣＤ補正処理装置において、部分迂回処理ステップは、画素用出力値取得ステップで取得した画素用出力値が所定の値以下であるかどうか判断し、所定の値以下の場合にはステップＳ３６０３に進み、所定の値以下でない場合にはステップＳ３６０４に進む（ステップＳ３６０２）。次に、多分割ＣＣＤ補正処理装置において、部分迂回処理ステップは、第一出力比利用補正手段を利用しないで補正をする（ステップＳ３６０３）。次に、多分割ＣＣＤ補正処理装置において、第二選択ステップは、画素用出力値取得ステップで取得した画素用出力値に基づいて選択し、さらに、画素用出力値取得ステップから取得した画素用出力値に基づいて誤差補正近似直線群情報を選択する（ステップＳ３６０４）。次に、多分割ＣＣＤ補正処理装置において、第二補正処理ステップは、第二選択ステップにて選択された補正近似直線群情報と、誤差補正近似直線群情報とを利用して画素用出力値を補正する（ステップＳ３６０５）。
【００８１】
<実施形態９の効果の簡単な説明>
本実施形態によれば、部分迂回処理部を有するので、画素用出力値取得部で取得した画素用出力値が所定の値以下である場合には、第二出力比利用補正手段を利用しないで補正をすることができる。
【００８２】
<<実施形態１０>>
以下に、実施形態１０について説明する。
<実施形態１０の概念>
以下に本実施形態の概念について説明する。本実施形態の多分割ＣＣＤ補正処理装置は、第一補正処理部の後段に配置される第一ゲイン減衰部を有する実施形態１、３、５、７、８のいずれか一に記載の多分割ＣＣＤ補正処理装置に関する。また、本実施形態の多分割ＣＣＤ補正処理装置は、第一補正処理部の前段に配置される画素用出力値取得部のさらに前段に配置される第一ゲイン増幅部と、前記第一補正処理部の後段に配置される第一ゲイン減衰部と、を有する実施形態１、３、５、７、８のいずれか一に記載の多分割ＣＣＤ補正処理装置に関する。
【００８３】
<構成要件の明示>
以下に、本実施形態の構成要件について説明をする。
図３７は、本実施形態の機能ブロック図の一例である。本実施形態の多分割ＣＣＤ補正処理装置３７００は、第一補正近似直線群情報保持部３７０１と、画素用出力値取得部３７０２と、第一選択部３７０３と、第一補正処理部３７０４と、第一ゲイン増幅部３７０５と、第一ゲイン減衰部３７０６と、からなる。なお、第一ゲイン増幅部がないように構成されていてもよい。
【００８４】
<構成要件の説明>
以下に、本実施形態の構成要件について説明する。
（第一補正近似直線群情報保持部）、（画素用出力値取得部）、（第一選択部）、（第一補正処理部）
「第一補正近似直線群情報保持部」、「画素用出力値取得部」、「第一選択部」、「第一補正処理部」については、実施形態１と同様なので説明を省略する。
【００８５】
（第一ゲイン増幅部）
「第一ゲイン増幅部」は、第一補正処理部の前段に配置される画素用出力値取得部のさらに前段に配置され、画素用出力値を増幅するように構成されている。第一ゲイン増幅部で画素用出力値を増幅することにより、分割ブロック間のゲイン差を解像度よく取得することができる。第一ゲイン増幅部が増幅する倍率には、一例として、４倍、８倍などが挙げられる。
【００８６】
（第一ゲイン減衰部）
「第一ゲイン減衰部」は、第一補正処理部の後段に配置され、画素用出力値を減衰するように構成されている。減衰することにより、増幅された画素用出力値を適切な値にすることができる。第一ゲイン減衰部が減衰する倍率には、一例として、１／２倍、１／４倍などが挙げられる。
【００８７】
（実施例５）
以下に本実施形態の実施例５について説明する。なお、実施例５においては、２分割の場合の多分割ＣＣＤ補正処理装置について説明している。
多分割ＣＣＤ補正処理装置全体のゲインを調整する場合には、第一ゲイン増幅部と第一ゲイン減衰部の倍率を組み合わせることにより調整を行う。例えば、全体のゲインを４倍に増幅する場合には以下のように用いる。通常は、ゲインを上げる場合は第一ゲイン増幅部を４倍にするが、本発明では第一ゲイン増幅部を８倍に設定する。
（補正近似直線群情報作成時）
補正近似直線群情報作成時には第一ゲイン増幅部を８倍にして補正近似直線群情報を作成する。（第一ゲイン増幅部の倍率にあわせて数本補正近似直線群情報を用意しておく。）
（補正時その１）
補正時においては第一ゲイン増幅部を８倍、第一ゲイン減衰部を１／２倍に設定する。
（補正時その２）
ゲインの倍率を連続的に変化させたい場合には第一ゲイン減衰部を１／２から下げる方向に変化させる（上げると左右のゲイン差を解像度よく取得することができる。）。ただし、この方法ではビット分解能は下がるが、左右の差は小さくなる。
図３８は本実施例の多分割ＣＣＤ補正処理装置を含む装置の全体ブロック図の一例を示す図である。本実施例の多分割ＣＣＤ補正処理装置は、２分割読み出し方式ＣＣＤ３８０１と、２ブロックＣＤＳ／ＡＤＣ回路３８０５と、ゲイン検出回路（画素用出力値取得部に対応）３８０６と、不揮発性メモリ（ＥＥＰＲＯＭ等：第一補正近似直線群情報保持部に対応）３８０７と、制御用マイコン３８０８と、ゲイン補正回路（第一選択部、第一補正処理部に対応）３８０９と、画素並替回路３８１０と、ＣＣＤ信号処理回路３８１１と、キャリア成分検出回路３８１２と、ＡＧＣ１（３８１４：第一ゲイン増幅部に対応）、ＡＧＣ２（３８１５：第一ゲイン減衰部に対応）と、を有する。本実施形態では、実施形態５の（実施例１）において、２ブロックＣＤＳ／ＡＤＣ回路の後ろにＡＧＣ１を追加しゲインを増幅（例えば８倍）し、追加したゲイン補正を行ったあとＡＧＣ２を追加して、適切なゲイン（例えば１／２倍）にしている。これにより、通常は暗い場合においてはＣＤＳ／ＡＤＣ直後のゲインを上げることで明るさを稼ぐことができる。そして２分割ＣＣＤの補正では増幅率を上げることで左右の差を解像度よく取得することができる。
【００８８】
（実施例６）
以下に本実施形態の実施例６について説明する。なお、実施例６においては、４分割の場合の多分割ＣＣＤ補正処理装置について説明している。
図４２は、４分割の場合の多分割ＣＣＤ補正処理装置に使用されるＣＣＤの一例を示す図である。ＣＣＤが４分割である以外の構成は、実施例５と同様である。４分割ＣＣＤの補正処理については、画素ごとに色に依存した処理方法は２分割ＣＣＤの補正と同様に行う。２分割ＣＣＤとの違いは、補正処理を４回繰り返すことにある。以下に補正処理の手順について説明する。なお、ＣＣＤ４２０１は、ＣＣＤ領域１、ＣＣＤ領域２、ＣＣＤ領域３、ＣＣＤ領域４に分割されているものとする。また図４２には、補正近似直線群情報を作成するために使用される中央領域として、補正エリア１、補正エリア２、補正エリア３、補正エリア４、補正エリア５が示されている。
（ステップ１）：
ＣＣＤ領域１とＣＣＤ領域２について補正エリア１を用いて補正を行う。このときＣＣＤ領域２をＣＣＤ領域１にあわせるように補正する。
（ステップ２）：
ＣＣＤ領域２とＣＣＤ領域３について補正エリア２を用いて補正を行う。このときＣＣＤ領域４をＣＣＤ領域３に合わせるように補正する。
（ステップ３）：
次に補正エリア３を用いてＣＣＤ領域１、２（ＣＣＤ領域２はＣＣＤ領域１に補正済み）にＣＣＤ領域３、４（ＣＣＤ領域４はＣＣＤ領域３に補正済み）をあわせるように補正する。
（ステップ４）：
この時点で補正は出来ているはずであるが、場合によっては補正エリア３は上下で一致するが、補正エリア４と補正エリア５は上下で一致しない場合がある。この場合は上下で補正エリア４、３、５を結ぶ線でねじれが発生している。これについてはシェーディング補正回路４２０２を用いてこのねじれを補正する。
【００８９】
<処理の流れ>
図３９は、本実施形態の処理の流れの一例である。
まず、多分割ＣＣＤ補正処理装置において、第一ゲイン増幅ステップは、多分割読出ＣＣＤの画素用出力値を増幅する（ステップＳ３９０１）。次に、多分割ＣＣＤ補正処理装置において、画素用出力値取得ステップは、多分割読出ＣＣＤの画素用出力値を取得する（ステップＳ３９０２）。次に、多分割ＣＣＤ補正処理装置において、第一選択ステップは、画素用出力値取得ステップで取得した画素用出力値に基づいて複数の補正近似直線群情報から二組以上の補正近似直線群情報を選択する（ステップＳ３９０３）。次に、多分割ＣＣＤ補正処理装置において、第一補正処理ステップは、第一選択ステップにて選択された二組以上の補正近似直線群情報を利用して画素用出力値を補正する（ステップＳ３９０４）。次に、多分割ＣＣＤ補正処理装置において、第一ゲイン減衰ステップは、補正された画素用出力値を補正する（ステップＳ３９０５）。
【００９０】
<実施形態１０の効果の簡単な説明>
本実施形態によれば、第一ゲイン増幅部、を有するので、分割ブロック間の画素用出力値のゲイン差を解像度よく取得することができる。また、第一ゲイン減衰部、を有するので、補正された画素用出力値を適切な値に減衰することができる。
【００９１】
<<実施形態１１>>
以下に、実施形態１１について説明する。
<実施形態１１の概念>
以下に本実施形態の概念について説明する。本実施形態の多分割ＣＣＤ補正処理装置は、第二補正処理部の後段に配置される第二ゲイン減衰部を有する実施形態２、４、６、９のいずれか一に記載の多分割ＣＣＤ補正処理装置に関する。また、本実施形態の多分割ＣＣＤ補正処理装置は、第二補正処理部の前段に配置される画素用出力値取得部のさらに前段に配置される第二ゲイン増幅部と、第二補正処理部の後段に配置される第二ゲイン減衰部と、を有する実施形態２、４、６、９のいずれか一に記載の多分割ＣＣＤ補正処理装置に関する。
【００９２】
<構成要件の明示>
以下に、本実施形態の構成要件について説明をする。
図４０は、本実施形態の機能ブロック図の一例である。本実施形態の多分割ＣＣＤ補正処理装置４０００は、第二補正近似直線群情報保持部４００１と、誤差補正近似直線群情報保持部４００２と、画素用出力値取得部４００３と、第二選択部４００４と、第二補正処理部４００５と、第二ゲイン増幅部４００５と、第二ゲイン減衰部４００６と、からなる。なお、第二ゲイン増幅部がないように構成されていてもよい。
【００９３】
<構成要件の説明>
以下に、本実施形態の構成要件について説明する。
（第二補正近似直線群情報保持部）、（誤差補正近似直線群情報保持部）、（画素用出力値取得部）、（第一選択部）、（第一補正処理部）
「第一補正近似直線群情報保持部」、「誤差補正近似直線群情報保持部」、「画素用出力値取得部」、「第一選択部」、「第一補正処理部」については、実施形態２と同様なので説明を省略する。
【００９４】
（第二ゲイン増幅部）
「第二ゲイン増幅部」は、第二補正処理部の前段に配置される画素用出力値取得部のさらに前段に配置され、画素用出力値を増幅するように構成されている。第二ゲイン増幅部で画素用出力値を増幅することにより、分割ブロック間のゲイン差を解像度よく取得することができる。第二ゲイン増幅部が増幅する倍率には、一例として、４倍、８倍などが挙げられる。
【００９５】
（第二ゲイン減衰部）
「第二ゲイン減衰部」は、第二補正処理部の後段に配置され、画素用出力値を減衰するように構成されている。減衰することにより、増幅された画素用出力値を適切な値にすることができる。第二ゲイン減衰部が減衰する倍率には、一例として、１／２倍、１／４倍などが挙げられる。
なお、多分割ＣＣＤ補正処理装置全体のゲインを調整する場合には、第二ゲイン増幅部と第二ゲイン減衰部の倍率を組み合わせることにより調整を行う。例えば、全体のゲインを４倍に増幅する場合には以下のように用いる。通常は、ゲインを上げる場合は第二ゲイン増幅部を４倍にするが、本発明では第二ゲイン増幅部を８倍に設定する。
（補正近似直線群情報作成時）
補正近似直線群情報作成時には第二ゲイン増幅部を８倍にして（誤差）補正近似直線群情報を作成する。（第二ゲイン増幅部の倍率にあわせて数本（誤差）補正近似直線群情報を用意しておく。）
（補正時その１）
補正時においては第二ゲイン増幅部を８倍、第二ゲイン減衰部を１／２倍に設定する。
（補正時その２）
ゲインの倍率を連続的に変化させたい場合には第二ゲイン減衰部を１／２から下げる方向に変化させる（上げると左右のゲイン差を解像度よく取得することができる）。ただし、この方法ではビット分解能は下がるが、左右の差は小さくなる。
なお、本実施形態の多分割ＣＣＤ補正処理装置の全体ブロック図の具体例については、実施形態１０の（実施例５）と同様なので省略する。
【００９６】
<処理の流れ>
図４１は、本実施形態の処理の流れの一例である。
まず、多分割ＣＣＤ補正処理装置において、第一ゲイン増幅ステップは、多分割読出ＣＣＤの画素用出力値を増幅する（ステップＳ４１０１）。次に、多分割ＣＣＤ補正処理装置において、画素用出力値取得ステップは、多分割読出ＣＣＤの画素用出力値を取得する（ステップＳ４１０２）。次に、多分割ＣＣＤ補正処理装置において、第二選択ステップは、画素用出力値取得ステップで取得した画素用出力値に基づいて補正近似直線群情報を選択し、さらに、画素用出力値取得ステップから取得した画素用出力値に基づいて誤差補正近似直線群情報を選択する（ステップＳ４１０３）。次に、多分割ＣＣＤ補正処理装置において、第二補正処理ステップは、第二選択ステップにて選択された補正近似直線群情報と、誤差補正近似直線群情報とを利用して画素用出力値を補正する（ステップＳ４１０４）。次に、多分割ＣＣＤ補正処理装置において、第二ゲイン減衰ステップは、補正された画素用出力値を補正する（ステップＳ４１０５）。
【００９７】
<実施形態１１の効果の簡単な説明>
本実施形態によれば、第二ゲイン増幅部、を有するので、分割ブロック間のゲイン差を解像度よく取得することができる。また、第二ゲイン減衰部、を有するので、補正された画素用出力値を適切な値に減衰することができる。
【産業上の利用可能性】
【００９８】
本発明は、多分割読み出しのＣＣＤを使用したカメラにおける、出力ラインのゲインの多分割読出ＣＣＤ補正処理装置および方法に利用可能である。
【図面の簡単な説明】
【００９９】
【図１】実施形態１の概念図
【図２】実施形態１の機能ブロック図
【図３】実施形態１の２分割ＣＣＤの概念図
【図４】実施形態１の補正近似直線群情報の生成方法を説明するための図
【図５】実施形態１の複数の補正近似直線群情報を説明するための図
【図６】実施形態１の近接画素を説明するための図
【図７】実施形態１の近接画素との比率計算を説明するための図
【図８】実施形態１の補正近似直線群情報その１を説明するための図
【図９】実施形態１の処理の流れ図
【図１０】実施形態２の概念図
【図１１】実施形態２の機能ブロック図
【図１２】実施形態２の補正近似直線群情報を説明するための図
【図１３】実施形態２の誤差補正近似直線群情報を説明するための図
【図１４】実施形態２の補正方法その１を説明するための図
【図１５】実施形態２の補正方法その２を説明するための図
【図１６】実施形態２の処理の流れ図
【図１７】実施形態５の機能ブロック図
【図１８】実施形態５の実施例１の具体的全体機能ブロック図
【図１９】実施形態５の実施例１の具体的ゲイン補正回路（その１）機能ブロック図
【図２０】実施形態５の実施例１の補色フィルタの画素その１を説明するための図
【図２１】実施形態５の実施例１の補色フィルタの画素その２を説明するための図
【図２２】実施形態５の実施例１の補正方法を説明するための図
【図２３】実施形態５の実施例１の具体的ゲイン補正回路（その２）機能ブロック図
【図２４】実施形態５の実施例１の非線形変換回路を説明するための図
【図２５】実施形態６の機能ブロック図
【図２６】実施形態６の実施例２の具体的ゲイン補正回路（その１）機能ブロック図
【図２７】実施形態６の実施例２の補正方法を説明するための図
【図２８】実施形態６の実施例２の具体的ゲイン補正回路（その２）機能ブロック図
【図２９】実施形態７の機能ブロック図
【図３０】実施形態７の実施例３の具体的ゲイン補正回路機能ブロック図
【図３１】実施形態７の処理の流れ図
【図３２】実施形態８の機能ブロック図
【図３３】実施形態８の処理の流れ図
【図３４】実施形態９の機能ブロック図
【図３５】実施形態９の実施例４の具体的ゲイン補正回路機能ブロック図
【図３６】実施形態９の処理の流れ図
【図３７】実施形態１０の機能ブロック図
【図３８】実施形態１０の実施例５の具体的全体機能ブロック図
【図３９】実施形態１０の処理の流れ図
【図４０】実施形態１１の機能ブロック図
【図４１】実施形態１１の処理の流れ図
【図４２】実施形態１０の実施例６の具体的全体機能ブロック図
【図４３】実施形態１の補正近似直線群情報の概念を説明（その１）するための図
【図４４】実施形態１の補正近似直線群情報の概念を説明（その２）するための図
【図４５】実施形態１の補正近似直線群情報の概念を説明（その３）するための図
【図４６】実施形態１の補正近似直線群情報の概念を説明（その４）するための図
【図４７】実施形態１の補正近似直線群情報その２を説明するための図
【図４８】実施形態２の誤差補正近似直線群情報の生成方法を説明するための図
【図４９】実施形態１の補正に使用される特定画素配列を示した図
【図５０】実施形態１のＣＣＤの概念図
【符号の説明】
【０１００】
０１００  多分割ＣＣＤ補正処理装置
０１０１  第一補正近似直線群情報保持部
０１０２  画素用出力値取得部
０１０３  第一選択部
０１０４  第一補正処理部
【図１】
2006173942.tif 000003
【図２】
2006173942.tif 000004
【図３】
2006173942.tif 000005
【図４】
2006173942.tif 000006
【図５】
2006173942.tif 000007
【図６】
2006173942.tif 000008
【図７】
2006173942.tif 000009
【図８】
2006173942.tif 000010
【図９】
2006173942.tif 000011
【図１０】
2006173942.tif 000012
【図１１】
2006173942.tif 000013
【図１２】
2006173942.tif 000014
【図１３】
2006173942.tif 000015
【図１４】
2006173942.tif 000016
【図１５】
2006173942.tif 000017
【図１６】
2006173942.tif 000018
【図１７】
2006173942.tif 000019
【図１８】
2006173942.tif 000020
【図１９】
2006173942.tif 000021
【図２０】
2006173942.tif 000022
【図２１】
2006173942.tif 000023
【図２２】
2006173942.tif 000024
【図２３】
2006173942.tif 000025
【図２４】
2006173942.tif 000026
【図２５】
2006173942.tif 000027
【図２６】
2006173942.tif 000028
【図２７】
2006173942.tif 000029
【図２８】
2006173942.tif 000030
【図２９】
2006173942.tif 000031
【図３０】
2006173942.tif 000032
【図３１】
2006173942.tif 000033
【図３２】
2006173942.tif 000034
【図３３】
2006173942.tif 000035
【図３４】
2006173942.tif 000036
【図３５】
2006173942.tif 000037
【図３６】
2006173942.tif 000038
【図３７】
2006173942.tif 000039
【図３８】
2006173942.tif 000040
【図３９】
2006173942.tif 000041
【図４０】
2006173942.tif 000042
【図４１】
2006173942.tif 000043
【図４２】
2006173942.tif 000044
【図４３】
2006173942.tif 000045
【図４４】
2006173942.tif 000046
【図４５】
2006173942.tif 000047
【図４６】
2006173942.tif 000048
【図４７】
2006173942.tif 000049
【図４８】
2006173942.tif 000050
【図４９】
2006173942.tif 000051
【図５０】
2006173942.tif 000052